(57)【要約】スロットマシン用液晶表示装置１０は、回転リール６の前側に配される液晶パネル１１と、液晶パネル１１と回転リール６との間に介在する形で配されるとともに、液晶パネル１１に光を供給するバックライト装置１２であって、ＬＥＤ１７と、導光板１９と、光学シート側開口部２２が形成されてなる光学シート１５と、光学シート側開口部２２と重畳する部分に反射シート側開口部２３が形成されてなる反射シート２０と、少なくとも光学シート側開口部２２よりも拡張された範囲が光散乱パターン２１ａの非形成領域２５とされる光散乱反射部２１と、少なくとも反射シート側開口部２３よりも拡張された範囲にシャーシ側開口部２４が形成されてなるシャーシ１４と、を有してなるバックライト装置１２と、を備える。
2015194475.tif 000002
【特許請求の範囲】
【請求項１】
回転リールの前側に配される表示パネルと、
前記表示パネルと前記回転リールとの間に介在する形で配されるとともに、前記表示パネルに光を供給する照明装置であって、
光源と、
少なくとも一端面が前記光源の光が入射される光入射面とされるとともに、前側の板面が前記表示パネルの板面と対向状をなして光を出射する光出射面とされる導光板と、
前記導光板と前記表示パネルとの間に介在する形で配されて前記光出射面から出射した光を、光学作用を付与しつつ前記表示パネル側に透過する光学部材であって、前記回転リールと正対する部分の少なくとも一部に光学部材側開口部が形成されてなる光学部材と、
前記導光板の後側に配されて前記導光板内の光を反射する反射部材であって、前記光学部材側開口部と重畳する部分に反射部材側開口部が形成されてなる反射部材と、
前記導光板における後側の板面に付されていて前記導光板内の光を散乱反射することで前記光出射面からの出光を促す光散乱パターンからなる光散乱反射部であって、少なくとも前記光学部材側開口部よりも拡張された範囲が前記光散乱パターンの非形成領域とされる光散乱反射部と、
前記反射部材の後側に配されていて前記反射部材を介して前記導光板及び前記光学部材を後側から支持する支持部材であって、少なくとも前記反射部材側開口部よりも拡張された範囲に支持部材側開口部が形成されてなる支持部材と、を有してなる照明装置と、
を備える遊技機用表示装置。
【請求項２】
前記光学部材側開口部は、複数が一列に並んで配される前記回転リールに合わせて、複数ずつ一列に並んで配されるようそれぞれ形成されており、
前記光散乱反射部及び前記支持部材は、前記光散乱パターンの非形成領域及び前記支持部材側開口部が、少なくとも一列に並ぶ複数の前記回転リールの間に挟まれた部分にまで拡張された範囲にまでそれぞれ形成されている請求項１記載の遊技機用表示装置。
【請求項３】
前記光散乱反射部は、前記光散乱パターンの非形成領域が、少なくとも一列に並ぶ複数の回転リールを、その並び方向について両側から一括して挟み込む部分にまで拡張された範囲に形成され、その拡張寸法が、一列に並ぶ複数の前記回転リールの間に挟まれた部分における拡張寸法よりも大きくなるものとされる請求項２記載の遊技機用表示装置。
【請求項４】
前記光学部材側開口部は、前記表示パネルにおける鉛直方向の中央位置よりも下側に偏在する形で配されており、
前記光散乱反射部は、前記光散乱パターンの非形成領域が、少なくとも前記光学部材側開口部に対して鉛直方向の上側部分と下側部分とにまでそれぞれ拡張された範囲に形成され、前記下側部分における拡張寸法が、前記上側部分における拡張寸法よりも大きくなるものとされる請求項１から請求項３のいずれか１項に記載の遊技機用表示装置。
【請求項５】
前記光学部材側開口部は、前記表示パネルにおける鉛直方向の中央位置よりも下側に偏在する形で配されており、
前記支持部材は、前記支持部材側開口部が、少なくとも前記光学部材側開口部に対して鉛直方向の上側部分と下側部分とにまでそれぞれ拡張された範囲に形成され、前記下側部分における拡張寸法が、前記上側部分における拡張寸法よりも大きくなるものとされる請求項１から請求項４のいずれか１項に記載の遊技機用表示装置。
【請求項６】
前記光散乱反射部及び前記支持部材は、前記光散乱パターンの非形成領域及び前記支持部材側開口部が、前記光学部材側開口部を正面視において全周にわたって取り囲む形で拡張された範囲にまでそれぞれ形成されている請求項１から請求項５のいずれか１項に記載の遊技機用表示装置。
【請求項７】
前記反射部材は、前記反射部材側開口部の開口範囲が、前記光学部材側開口部の開口範囲以上になるよう形成されており、
前記支持部材は、前記支持部材側開口部が、前記光散乱パターンの非形成領域よりも拡張された範囲になるよう形成されている請求項１から請求項６のいずれか１項に記載の遊技機用表示装置。
【請求項８】
前記光散乱反射部は、少なくとも前記反射部材側開口部よりも拡張された範囲が前記光散乱パターンの非形成領域とされる請求項１から請求項７のいずれか１項に記載の遊技機用表示装置。
【請求項９】
前記光学部材及び前記反射部材は、前記光学部材側開口部の開口範囲と、前記反射部材側開口部の開口範囲と、が等しくなるようそれぞれ形成されている請求項１から請求項８のいずれか１項に記載の遊技機用表示装置。
【請求項１０】
前記導光板は、前記光学部材側開口部と重畳する部分と、前記光学部材側開口部とは非重畳となる部分と、が連続するよう形成されている請求項１から請求項９のいずれか１項に記載の遊技機用表示装置。
【請求項１１】
前記導光板を外周側から取り囲む形で枠状をなすとともに合成樹脂製とされたフレームが備えられるのに対し、前記導光板は、合成樹脂製とされており、
前記フレーム及び前記導光板には、互いに凹凸嵌合することで、前記導光板をその板面に沿う方向について位置決めする位置決め部がそれぞれ形成されている請求項１から請求項１０のいずれか１項に記載の遊技機用表示装置。
【請求項１２】
前記位置決め部は、前記導光板における水平方向の中央位置で且つ鉛直方向の一端位置となる１箇所と、前記導光板における鉛直方向の中央位置で且つ水平方向の両端位置となる２箇所と、に少なくとも配置されている請求項１１記載の遊技機用表示装置。
【発明の詳細な説明】
【技術分野】
【０００１】
本発明は、遊技機用表示装置に関する。
【背景技術】
【０００２】
従来、複数の図柄が外周面に描かれた回転自在な回転リールを変動表示及び停止表示させ、停止表示された複数の図柄の組み合わせに基づいて、パチンコ球、遊技メダルなどを払い出す遊技機が知られている。このような遊技機の一種であるスロットマシンにおいては、上記のように変動表示及び停止表示を行う回転リールに加えて、内部抽選結果の予兆などを表示する遊技機用液晶表示装置を備えたものが存在しており、この種のスロットマシンの一例が下記特許文献１に記載されている。【０００３】
この特許文献１には、回転リールと、回転リールの前方に設けられ、かつ、各々に開口が設けられた複数のシート部材が積層されるように構成されたシート部材群と、シート部材群の前方に設けられた液晶パネルと、を備え、シート部材群が、光導光材と、光導光材より前方に設けられ、かつ、光導光材における開口よりも大きな開口が形成された光拡散材と、を含むスロットマシン（遊技機）が記載されている。このようなスロットマシンによれば、光拡散材の開口の領域に相当する液晶パネルの領域の方が、光拡散材の開口以外の領域に相当する液晶パネルの領域よりも光の入射量が少なくなるので、回転リールの図柄を見る際に見ざるを得ない液晶パネルの領域が暗くなり、もって図柄を明確に視認することができる、との内容となっている。
【先行技術文献】
【特許文献】
【０００４】
【特許文献１】特許第３９０２１３２号公報
【０００５】
（発明が解決しようとする課題）
しかしながら、上記した特許文献１のようなスロットマシンにおいては、回転リールの図柄を、正面からではなく斜めから見た場合に、視差によって光導光材の裏面に形成された光散乱パターンによる散乱光が遊技者の目に直接入る可能性があり、そうなると光散乱パターンが輝点として視認され、回転リール及び液晶パネルの表示品位を悪化させるおそれがあった。【０００６】
それに加え、シート部材群に含まれる光反射材を後側から支持するリヤフレームにも、シート部材群と同様に開口が形成されているが、これら樹脂製の光反射材と金属製のリヤフレームとでは、熱膨張率が異なるため、熱膨張時に伴って大きく変位する光反射材に対してリヤフレームの変位量が少なくなりがちとされる。これに起因してリヤフレームの一部が光反射材により覆われることなく、前方に露出する場合があり、そうなるとリヤフレームが視差によって視認され易くなり、結果として回転リール及び液晶パネルの表示品位を悪化させるおそれがあった。
【発明の概要】
【０００７】
本発明は上記のような事情に基づいて完成されたものであって、表示品位の向上を図ることを目的とする。
【０００８】
（課題を解決するための手段）
本発明の遊技機用表示装置は、回転リールの前側に配される表示パネルと、前記表示パネルと前記回転リールとの間に介在する形で配されるとともに、前記表示パネルに光を供給する照明装置であって、光源と、少なくとも一端面が前記光源の光が入射される光入射面とされるとともに、前側の板面が前記表示パネルの板面と対向状をなして光を出射する光出射面とされる導光板と、前記導光板と前記表示パネルとの間に介在する形で配されて前記光出射面から出射した光を、光学作用を付与しつつ前記表示パネル側に透過する光学部材であって、前記回転リールと正対する部分の少なくとも一部に光学部材側開口部が形成されてなる光学部材と、前記導光板の後側に配されて前記導光板内の光を反射する反射部材であって、前記光学部材側開口部と重畳する部分に反射部材側開口部が形成されてなる反射部材と、前記導光板における後側の板面に付されていて前記導光板内の光を散乱反射することで前記光出射面からの出光を促す光散乱パターンからなる光散乱反射部であって、少なくとも前記光学部材側開口部よりも拡張された範囲が前記光散乱パターンの非形成領域とされる光散乱反射部と、前記反射部材の後側に配されていて前記反射部材を介して前記導光板及び前記光学部材を後側から支持する支持部材であって、少なくとも前記反射部材側開口部よりも拡張された範囲に支持部材側開口部が形成されてなる支持部材と、を有してなる照明装置と、を備える。
【０００９】
このようにすれば、光源から発せられた光は、導光板の光入射面に入射すると、導光板内を伝播する過程で光散乱反射部を構成する光散乱パターンによって散乱反射されるとともに反射部材により反射されることで光出射面から出射される。光出射面から出射された光により表示パネルには画像が表示される。一方、支持部材、反射部材、及び光学部材に形成された各開口部、並びに光散乱反射部における光散乱パターンの非形成領域によって回転リールが当該遊技機用表示装置の使用者に視認されるようになっている。
【００１０】
ここで、光散乱反射部は、光散乱パターンが導光板の裏側の板面において全域にわたって形成されておらず、少なくとも光学部材側開口部よりも拡張された範囲、つまり、回転リールと正対する部分よりも拡張された範囲が光散乱パターンの非形成領域とされているので、使用者が回転リールを正面からではなく、斜めから見た場合であっても、視差に起因して光散乱パターンによる散乱光が直接使用者の目に入る事態を生じ難くすることができる。しかも、光学部材は、光学部材側開口部が光散乱パターンの非形成領域よりも狭くなるよう形成されているので、使用者が回転リールを斜めから見たときに、光散乱パターンによる散乱光が光学部材によって使用者の目に直接入り難くすることができる。これにより、光散乱パターンが輝点として視認される事態が生じ難くなり、もって回転リール及び表示パネルの表示品位を良好なものとすることができる。
【００１１】
そして、支持部材は、少なくとも反射部材側開口部よりも拡張された範囲に支持部材側開口部が形成されてなるものであるから、支持する反射部材と熱膨張率が異なっていて反射部材の熱膨張に伴う変位量が支持部材の熱膨張に伴う変位量よりも大きくなった場合であっても、熱膨張時に支持部材における支持部材側開口部の開口縁付近が反射部材によって覆われなくなる、といった事態が生じ難くなる。これにより、支持部材の表面が視差によって視認され難くなる。この支持部材は、反射部材に比べると、概して透光性が低くて遮光性が高いものであるため、そのような支持部材が視認され難くなることで、影の発生が抑制され、もって回転リール及び表示パネルの表示品位を良好なものとすることができる。
【００１２】
本発明の実施態様として、次の構成が好ましい。
（１）前記光学部材側開口部は、複数が一列に並んで配される前記回転リールに合わせて、複数ずつ一列に並んで配されるようそれぞれ形成されており、前記光散乱反射部及び前記支持部材は、前記光散乱パターンの非形成領域及び前記支持部材側開口部が、少なくとも一列に並ぶ複数の前記回転リールの間に挟まれた部分にまで拡張された範囲にまでそれぞれ形成されている。このようにすれば、光散乱反射部のうち、一列に並ぶ複数の回転リールの間に挟まれた部分においては、その両側に光散乱パターンの非形成領域がそれぞれ回転リールと正対する部分よりも拡張される形で形成されることになる。これにより、光散乱パターンによる散乱光が光学部材によって使用者の目に直接入り難くなる効果が得られる反面、導光板の光出射面のうち、一列に並ぶ複数の回転リールの間に挟まれた部分からは、光散乱反射部による光の出射が不十分となりがちとなって、当該部分と正対する表示パネルの部分において表示品位が低下することが懸念される。その点、支持部材のうち、一列に並ぶ複数の回転リールの間に挟まれた部分においては、その両側に支持部材側開口部がそれぞれ反射部材側開口部よりも拡張される形で形成されているので、反射部材のうち、一列に並ぶ複数の回転リールの間に挟まれた部分における両側には、それぞれ支持部材によって覆われることがない部分が生じることになる。従って、回転リールを視認させるための光が照明装置に対して後側から供給された場合には、その光が支持部材によって遮光されることなく、反射部材のうち、一列に並ぶ複数の回転リールの間に挟まれた部分における両側の部分を透過して導光板内へと導入されるので、当該光を光出射面からの出射光として利用することが可能となる。つまり、回転リールを視認させるための光の一部を、表示パネルのうち、一列に並ぶ複数の回転リールの間に挟まれた部分での表示に利用することができ、それにより当該部分での輝度不足が補われて表示品位をより良好なものとすることができる。
【００１３】
（２）前記光散乱反射部は、前記光散乱パターンの非形成領域が、少なくとも一列に並ぶ複数の回転リールを、その並び方向について両側から一括して挟み込む部分にまで拡張された範囲に形成され、その拡張寸法が、一列に並ぶ複数の前記回転リールの間に挟まれた部分における拡張寸法よりも大きくなるものとされる。光散乱反射部のうち、一列に並ぶ複数の回転リールを、その並び方向について両側から一括して挟み込む部分は、一列に並ぶ複数の回転リールの間に挟まれた部分に比べると、視差によって視認され得る範囲が相対的に広くなっている。その点、光散乱反射部のうち、一列に並ぶ複数の回転リールを、その並び方向について両側から一括して挟み込む部分における光散乱パターンの非形成領域の拡張寸法が、一列に並ぶ複数の回転リールの間に挟まれた部分における光散乱パターンの非形成領域の拡張寸法よりも大きくなっているから、光散乱反射部のうち、一列に並ぶ複数の回転リールを、その並び方向について両側から一括して挟み込む部分が視差によって視認される事態が生じ難くなる。これにより、表示品位をより良好なものとすることができる。
【００１４】
（３）前記光学部材側開口部は、前記表示パネルにおける鉛直方向の中央位置よりも下側に偏在する形で配されており、前記光散乱反射部は、前記光散乱パターンの非形成領域が、少なくとも前記光学部材側開口部に対する鉛直方向の上側部分と下側部分とにまでそれぞれ拡張された範囲に形成され、前記下側部分における拡張寸法が、前記上側部分における拡張寸法よりも大きくなるものとされる。光学部材側開口部と共に他の各開口部及び光散乱パターンの非形成領域が表示パネルにおける鉛直方向の中央位置よりも下側に偏在する形で配されている場合、使用者の目線が、例えば表示パネルにおける鉛直方向の中央位置にあれば、回転リールは光学部材側開口部などを通してやや見下ろされる形で視認されることになる。これにより、使用者の眼精疲労を軽減することができ、例えば長時間にわたって遊技を行う場合に好適となる。このように使用者が光学部材側開口部などを通して回転リールを見下ろす形で視認する場合には、光散乱反射部のうち、光学部材側開口部に対する鉛直方向の下側部分の方が、同上側部分に比べると、視差によって視認され得る範囲が相対的に広くなっている。その点、光散乱反射部は、光学部材側開口部に対する鉛直方向の下側部分における光散乱パターンの非形成領域の拡張寸法が、上側部分における光散乱パターンの非形成領域の拡張寸法よりも大きくなっているから、光散乱反射部のうち、光学部材側開口部に対する鉛直方向の下側部分が視差によって視認される事態が生じ難くなる。これにより、表示品位をより良好なものとすることができる。
【００１５】
（４）前記光学部材側開口部は、前記表示パネルにおける鉛直方向の中央位置よりも下側に偏在する形で配されており、前記支持部材は、前記支持部材側開口部が、少なくとも前記光学部材側開口部に対する鉛直方向の上側部分と下側部分とにまでそれぞれ拡張された範囲に形成され、前記下側部分における拡張寸法が、前記上側部分における拡張寸法よりも大きくなるものとされる。光学部材側開口部と共に他の各開口部及び光散乱パターンの非形成領域が表示パネルにおける鉛直方向の中央位置よりも下側に偏在する形で配されている場合、使用者の目線が表示パネルにおける鉛直方向の中央位置にあれば、回転リールは光学部材側開口部などを通してやや見下ろされる形で視認されることになる。これにより、使用者の眼精疲労を緩和することができ、例えば長時間にわたって遊技を行う場合に好適となる。このように光学部材側開口部が表示パネルにおける鉛直方向の下側に偏在する構成では、表示パネルのうち、光学部材側開口部に対する鉛直方向の下側部分が同上側部分よりも狭くなるため、当該下側部分において照明装置から供給される光量が不足しがちとなり、表示品位が低下することが懸念される。その点、支持部材は、光学部材側開口部に対する鉛直方向の下側部分における支持部材側開口部の拡張寸法が、上側部分における支持部材側開口部の拡張寸法よりも大きくなっているから、反射部材のうち、光学部材側開口部に対する鉛直方向の下側部分には、支持部材によって覆われることがない部分が生じることになる。従って、回転リールを視認させるための光が照明装置に対して後側から供給された場合には、その光が支持部材によって遮光されることなく、反射部材のうち、光学部材側開口部に対する鉛直方向の下側部分における反射部材側開口部の開口縁を透過して導光板内へと導入されるので、当該光を光出射面からの出射光として利用することが可能となる。つまり、回転リールを視認させるための光の一部を、表示パネルのうち、光学部材側開口部に対する鉛直方向の下側部分での表示に利用することができ、それにより当該下側部分での輝度不足が補われて表示品位をより良好なものとすることができる。
【００１６】
（５）前記光散乱反射部及び前記支持部材は、前記光散乱パターンの非形成領域及び前記支持部材側開口部が、前記光学部材側開口部を正面視において全周にわたって取り囲む形で拡張された範囲にまでそれぞれ形成されている。このようにすれば、使用者が回転リールを斜めから見るにあたり、どの向きから見た場合であっても、視差に起因して光散乱パターンによる散乱光が直接使用者の目に入る事態を生じ難くすることができる。しかも、反射部材の熱膨張に伴い、反射部材側開口部の開口縁が回転リールにおける正面視の中心から遠ざかるよう変位したとき、同開口縁がどの向きに変位した場合であっても、支持部材の表面が視差によって視認され難くなる。以上により、表示品位を一層良好なものとすることができる。
【００１７】
（６）前記反射部材は、前記反射部材側開口部の開口範囲が、前記光学部材側開口部の開口範囲以上になるよう形成されており、前記支持部材は、前記支持部材側開口部が、前記光散乱パターンの非形成領域よりも拡張された範囲になるよう形成されている。このように、反射部材側開口部の開口範囲が光学部材側開口部の開口範囲以上とされることで、回転リールを斜めから見た場合に、視差によって反射部材が視認される事態を生じ難くすることができる。その上で、支持部材側開口部が、光学部材側開口部より拡張された光散乱パターンの非形成領域よりもさらに拡張されることで、反射部材における反射部材側開口部の開口縁と、支持部材における支持部材側開口部の開口縁との間のマージンを十分に確保することができる。従って、熱膨張時に支持部材における支持部材側開口部の開口縁付近が反射部材によって覆われなくなる、といった事態がより確実に生じ難くなっている。これにより、支持部材の表面が視差によって視認され難くなるので、影の発生がより好適に抑制され、もって回転リール及び表示パネルの表示品位をより良好なものとすることができる。
【００１８】
（７）前記光散乱反射部は、少なくとも前記反射部材側開口部よりも拡張された範囲が前記光散乱パターンの非形成領域とされる。このようにすれば、光散乱パターンにより散乱反射した光を、反射部材によってより効率的に反射して光出射面側に向かわせることができる。これにより、光の利用効率に優れる。
【００１９】
（８）前記光学部材及び前記反射部材は、前記光学部材側開口部の開口範囲と、前記反射部材側開口部の開口範囲と、が等しくなるようそれぞれ形成されている。このようにすれば、反射部材によって反射した光を光学部材へと効率的に供給することができるから、光学部材のうち光学部材側開口部を除いた部分の全体から均一に光を出射させることができるとともに、光の利用効率が高いものとなる。
【００２０】
（９）前記導光板は、前記光学部材側開口部と重畳する部分と、前記光学部材側開口部とは非重畳となる部分と、が連続するよう形成されている。このようにすれば、仮に導光板のうち光学部材側開口部と重畳する部分に開口を形成した場合には、導光板における複数の端面を光入射面とし、それら複数の光入射面に光を入射させるよう光源を複数箇所に配置する必要が生じ、また光学部材側開口部と重畳する開口の開口縁からの光漏れが生じることも懸念される。その点、導光板は、光学部材側開口部と重畳する部分と、光学部材側開口部とは非重畳となる部分と、が連続するよう形成されているから、光源の設置箇所を上記よりも削減することができ、もって光源の設置コスト、発熱量及び消費電力をそれぞれ低減させることができる。また、導光板から光漏れが生じ難くなるので、回転リールの視認性もより高いものとなる。
【００２１】
（１０）前記導光板を取り囲む形で枠状をなすとともに合成樹脂製とされたフレームが備えられるのに対し、前記導光板は、合成樹脂製とされており、前記フレーム及び前記導光板には、互いに凹凸嵌合することで、前記導光板をその板面に沿う方向について位置決めする位置決め部がそれぞれ形成されている。このようにすれば、仮にフレームを金属製とした場合に比べると、導光板とフレームとの間に生じ得る熱膨張率の差が縮小されることになる。従って、フレーム及び導光板にそれぞれ形成される位置決め部を、より緊密に凹凸嵌合するような寸法設計を採ることが可能となる。これにより、導光板がフレームに対してがたつき難くなるので、使用者が回転リールを斜めから見たときに、視差によって光散乱パターンが視認される事態がより生じ難くなるとともに、支持部材が影として視認される事態がより生じ難くなる。
【００２２】
（１１）前記位置決め部は、前記導光板における水平方向の中央位置で且つ鉛直方向の一端位置となる１箇所と、前記導光板における鉛直方向の中央位置で且つ水平方向の両端位置となる２箇所と、に少なくとも配置されている。このようにすれば、導光板がその板面に沿う方向についてどの向きにもがたつき難い形で位置決めされる。これにより、使用者が回転リールを斜めから見たときに、視差によって光散乱パターンが視認される事態が一層生じ難くなるとともに、支持部材が影として視認される事態が一層生じ難くなる。
【００２３】
（発明の効果）
本発明によれば、表示品位の向上を図ることができる。
【図面の簡単な説明】
【００２４】
【図１】本発明の実施形態１に係るスロットマシンの概略構成を示す斜視図
【図２】スロットマシンの表示部を示す正面図
【図３】表示部のスロットマシン用液晶表示装置における図２のＡ−Ａ線断面図
【図４】表示部のスロットマシン用液晶表示装置における図２のＢ−Ｂ線断面図
【図５】表示部のスロットマシン用液晶表示装置における図２のＣ−Ｃ線断面図
【図６】表示部のスロットマシン用液晶表示装置における図３及び図４のＤ−Ｄ線断面図
【図７】左端のリール表示窓の左側部分を拡大した図２のＣ−Ｃ線断面図
【図８】隣り合うリール表示窓の間の部分を拡大した図２のＣ−Ｃ線断面図
【図９】右端のリール表示窓の右側部分を拡大した図２のＣ−Ｃ線断面図
【図１０】リール表示窓の上側部分を拡大した図２のＡ−Ａ線断面図
【図１１】リール表示窓の下側部分を拡大した図２のＡ−Ａ線断面図
【図１２】本発明の実施形態２に係る隣り合うリール表示窓の間の部分を拡大した断面図
【図１３】本発明の実施形態３に係る隣り合うリール表示窓の間の部分を拡大した断面図
【図１４】本発明の実施形態４に係る左端のリール表示窓の左側部分を拡大した断面図
【図１５】本発明の実施形態５に係る左端のリール表示窓の左側部分を拡大した断面図
【図１６】本発明の実施形態６に係るスロットマシンの表示部を示す正面図
【図１７】リール表示窓の下側部分を拡大した断面図
【発明を実施するための形態】
【００２５】
＜実施形態１＞
本発明の実施形態１を図１から図１１によって説明する。本実施形態では、スロットマシン（遊技機）１に用いられるスロットマシン用液晶表示装置（遊技機用表示装置）１０について例示する。なお、各図面の一部にはＸ軸、Ｙ軸及びＺ軸を示しており、各軸方向が各図面で示した方向となるように描かれている。このうち、Ｘ軸方向が水平方向と一致し、Ｙ軸方向が鉛直方向と一致し、Ｚ軸方向が前後方向と一致している。また、図３から図５と図７から図１１とに示す上側が前側とされ、同図下側が後側とされる。また、特に断りがない限りは、上下の記載については鉛直方向の上下を基準とし、左右の記載については図３から図５と図７から図１１とを基準とする。
【００２６】
先に、スロットマシン１の概略構成について説明する。スロットマシン１は、図１に示すように、略箱状の筐体２と、筐体２の前面側に配される表示部３と、筐体２の前面側で且つ表示部３の下側に配される操作部４と、筐体２の前面側で且つ操作部４の下側に配されるコイン払出部５と、を備える。このうち、表示部３には、表示面１０Ｄに画像を表示可能なスロットマシン用液晶表示装置１０と、その後側に配されて回転自在な形で設けられた回転リール６と、が備えられている。また、操作部４には、遊技者（使用者）がコインを投入するためのコイン投入口４ａと、ゲームを開始するためのスタートレバー４ｂと、回転リール６の回転を停止させるためのリールストップボタン４ｃと、が備えられている。
【００２７】
次に、表示部３について詳しく説明する。表示部３に備えられる回転リール６は、図３及び図５に示すように、その前側に配されたスロットマシン用液晶表示装置１０の表示面１０Ｄに設定されたリール表示窓１０Ｗを通して遊技者に視認されるようになっている。回転リール６は、合計で３つが、水平方向（Ｘ軸方向）に沿って所定の間隔を空けて並んで配されており、それに伴ってスロットマシン用液晶表示装置１０の表示面１０Ｄには、３つのリール表示窓１０Ｗが、水平方向に沿って隣り合う回転リール６間の間隔（リール間ピッチ）と同じ間隔を空けて並ぶ形で設定されている。従って、本実施形態では、回転リール６及びリール表示窓１０Ｗの並び方向が、水平方向と一致している。各回転リール６の外周面には、その周方向に沿って複数種類の図柄（識別情報）６ａが所定の順番でもって複数並ぶ形で描かれており、これらの図柄６ａ群のうちの一部が上記したリール表示窓１０Ｗを通して使用者に視認されるようになっている。具体的には、各リール表示窓１０Ｗには、１つの回転リール６の外周面に並ぶ図柄６ａ群のうちの３つの図柄６ａがまとめて表示されるようになっており、各リール表示窓１０Ｗは、それぞれ３つの図柄６ａが鉛直方向に沿って並ぶような大きさとなるよう縦長な方形状をなしている。従って、表示部３には、水平方向及び鉛直方向について３つずつ、合計９つの図柄６ａが表示されるようになっており、これらの図柄６ａにおける水平方向及び斜め方向についての組み合わせが特定のものとなった場合に、コイン払出部５から所定数のコインが払い出されるものとされる。回転リール６のうち、スロットマシン用液晶表示装置１０の最も近くに配されるとともにリール表示窓１０Ｗに表示される３つの図柄６ａが描かれた部分、つまり有効表示部６ｂの後側には、回転リール６の図柄６ａを照らし出すためのリール用ランプ部（リール用光源）７が設置されている。リール用ランプ部７は、前方に向けて光を出射することが可能とされており、それにより回転リール６の有効表示部６ｂに描かれた各図柄６ａを照らし出して、リール表示窓１０Ｗを通して遊技者に明瞭に視認させることが可能とされる。
【００２８】
遊技者がゲームを行うに際しては、図１に示すように、まずコイン投入口４ａからコインを投入してから、スタートレバー４ｂを操作すると、ゲームが開始されるとともに、各回転リール６が回転される。その後、回転リール６毎に個別に配置されたリールストップボタン４ｃを押下すると、該当する回転リール６の回転が停止されて、リール表示窓１０Ｗに有効表示部６ｂに描かれた各図柄６ａが表示される。表示された９つの図柄６ａにおける水平方向及び斜め方向についての組み合わせが特定のものになれば、コイン払出部５から所定数のコインが払い出されるなどする。そして、このゲームを行っている間、表示部３には、上記したリール表示窓１０Ｗに表示される回転リール６の図柄６ａ以外にも、詳しくは次述するスロットマシン用液晶表示装置１０によって様々な画像が表示され、特に水平方向について隣り合うリール表示窓１０Ｗの間となる幅狭な部分にも画像が表示されるようになっており、それにより遊技者に一層の興趣を沸かせることができるものとされる。
【００２９】
続いて、スロットマシン用液晶表示装置１０について詳しく説明する。スロットマシン用液晶表示装置１０は、全体としてやや横長の方形をなしており、図２に示すように、表示パネルである液晶パネル１１と、外部光源であるバックライト装置（照明装置）１２と、を備えている。スロットマシン用液晶表示装置１０は、表示部３において表示面１０Ｄが遊技者の正面を向く形で配置されており、その鉛直方向についての中央位置が遊技者の目線の高さ位置と概ね一致するような設計とされる。
【００３０】
液晶パネル１１は、図２に示すように、平面に視て横長の方形をなしており、ほぼ透明な（透光性に優れた）一対のガラス製の基板が所定の間隔（セルギャップ）を隔てた状態で貼り合わせられるとともに、両基板間に液晶が封入された構成とされる。一対の基板のうち、後側に配されたアレイ基板には、互いに直交するソース配線とゲート配線とに接続されたスイッチング素子（例えばＴＦＴ）と、そのスイッチング素子に接続された画素電極、さらには配向膜等が設けられている。一方、前側に配されたＣＦ基板には、Ｒ（赤色），Ｇ（緑色），Ｂ（青色）等の各着色部が所定配列で配置されたカラーフィルタや対向電極、さらには配向膜等が設けられている。この液晶パネル１１は、画面中央側にあって画像が表示可能な表示領域（アクティブエリア）と、画面外周端側にあって表示領域の周りを取り囲む枠状（額縁状）をなす非表示領域（ノンアクティブエリア）とに区分されている。液晶パネル１１における非表示領域である上側の端部には、図３に示すように、液晶パネル１１を駆動するためのドライバを備えたフレキシブル基板１１ａが、水平方向に沿って間隔を空けて複数並ぶ形でＡＣＦを介して取り付けられている。これらのフレキシブル基板１１ａは、後側に向けて折り曲げられるとともに、液晶パネル１１側とは反対側の端部がプリント基板１１ｂにそれぞれ接続されている。プリント基板１１ｂは、液晶パネル１１を駆動するための信号の供給源であるコントロール基板（図示せず）に接続されている。なお、一対の基板の外面側には、表裏一対の偏光板がそれぞれ貼り付けられている。
【００３１】
この液晶パネル１１の表示領域内には、図２に示すように、３つのリール表示窓１０Ｗが水平方向に沿って間欠的に並ぶ形で設定されており、これら各リール表示窓１０Ｗに該当する部分においては、光の透過率が常に最大になるよう（白色で最大輝度となるよう）、液晶パネル１１の駆動が制御されている。これにより、液晶パネル１１に表示される画像とは別途に、各リール表示窓１０Ｗに表示される各回転リール６の図柄６ａを遊技者に常に視認させることが可能とされる。各リール表示窓１０Ｗは、液晶パネル１１における鉛直方向の中央位置よりも下側に偏在する配置となるよう設定されている。これにより、遊技者は、リール表示窓１０Ｗ内に表示される回転リール６の有効表示部６ｂをやや見下ろす形で目視することになるから、眼精疲労などが軽減され、長時間にわたって快適に遊技することが可能とされている。
【００３２】
バックライト装置１２は、図３及び図５に示すように、液晶パネル１１の後側に配されるとともに、回転リール６の前側に配されており、液晶パネル１１と回転リール６との間に介在する配置とされている。従って、バックライト装置１２には、回転リール６における有効表示部６ｂの視認を妨げないための構造が必要とされる。バックライト装置１２は、光源であるＬＥＤ（Light Emitting Diode：発光ダイオード）１７と、複数のＬＥＤ１７が実装されたＬＥＤ基板（光源基板）１８と、ＬＥＤ１７からの光を導光する導光板１９と、導光板１９に対して前側に配されて導光板１９からの光に光学作用を付与して液晶パネル１１に向けて出射させる光学シート（光学部材）１５と、導光板１９に対して後側に配されて導光板１９内の光を反射させる反射シート（反射部材）２０と、反射シート２０を介して導光板１９及び光学シート１５を後側から支持するシャーシ（支持部材）１４と、導光板１９を外周側から取り囲むフレーム１６と、を少なくとも備えている。このバックライト装置１２は、その長辺側の両端部のうちの一方（図４に示す左側）の端部に、ＬＥＤ基板１８が配されており、そのＬＥＤ基板１８に実装された各ＬＥＤ１７が液晶パネル１１における長辺側の一端部寄りに偏在していることになる。このように、本実施形態に係るバックライト装置１２は、導光板１９に対して片側からのみ入光される片側入光タイプのエッジライト型（サイドライト型）とされている。
【００３３】
ＬＥＤ１７は、図３及び図６に示すように、ＬＥＤ基板１８に固着される基板部上にＬＥＤチップ（ＬＥＤ素子、半導体発光素子）を封止材により封止した構成とされる。基板部に実装されるＬＥＤチップは、主発光波長が１種類とされ、具体的には、例えば青色を単色発光するものが用いられている。その一方、ＬＥＤチップを封止する封止材には、ＬＥＤチップから発せられた青色の光により励起されて所定の色を発光する蛍光体が分散配合されており、全体として概ね白色光を発するものとされる。なお、蛍光体としては、例えば黄色光を発光する黄色蛍光体、緑色光を発光する緑色蛍光体、及び赤色光を発光する赤色蛍光体の中から適宜組み合わせて用いたり、またはいずれか１つを単独で用いることができる。このＬＥＤ１７は、ＬＥＤ基板１８に対する実装面とは反対側の面が主発光面となる、いわゆる頂面発光型とされている。
【００３４】
ＬＥＤ基板１８は、図３及び図６に示すように、水平方向に沿って延在する細長い板状をなすとともに、その板面が次述する導光板１９の長辺側の端面に平行する姿勢で配置されている。ＬＥＤ基板１８の板面のうち、導光板１９と対向状をなす板面には、上記した構成のＬＥＤ１７が水平方向に沿って複数、所定の間隔を空けて並ぶ形で実装されており、ここが実装面とされる。これにより、各ＬＥＤ１７から発せられた光を導光板１９の長辺側の端面に効率的に入射させることができる。ＬＥＤ基板１８の実装面には、水平方向に沿って延在するとともにＬＥＤ１７群を横切って隣り合うＬＥＤ１７同士を直列接続する、金属膜（銅箔など）からなる配線パターン（図示せず）が形成されており、この配線パターンの端部に形成された端子部に対して図示しないＬＥＤ駆動回路基板が配線部材などを介して電気的に接続されることで、ＬＥＤ駆動回路基板からの駆動電力が各ＬＥＤ１７に供給されるようになっている。このＬＥＤ基板１８は、板面の片面のみが実装面とされる片面実装タイプとされている。このＬＥＤ基板１８の基材は、例えばアルミニウムなどの金属製とされ、その表面に絶縁層を介して既述した配線パターン（図示せず）が形成されている。なお、ＬＥＤ基板１８の基材に用いる材料としては、合成樹脂やセラミックなどの絶縁材料を用いることも可能である。
【００３５】
導光板１９は、屈折率が空気よりも十分に高く且つほぼ透明な（透光性に優れた）合成樹脂材料（例えばＰＭＭＡなどのアクリル樹脂やポリカーボネートなど）からなる。導光板１９は、図６に示すように、液晶パネル１１と同様に平面に視てやや横長の方形状をなすとともに光学シート１５及び反射シート２０よりも厚みが大きな板状をなしており、その板面における長辺方向が水平方向と、短辺方向が鉛直方向とそれぞれ一致し、且つ板面と直交する板厚方向が前後方向と一致している。導光板１９は、図３及び図４に示すように、液晶パネル１１及び光学シート１５の直下位置に配されており、その外周端面のうちの長辺側で且つ鉛直方向の下側に位置する一端面がＬＥＤ基板１８及びそこに実装された各ＬＥＤ１７とそれぞれ対向状をなしている。導光板１９は、ＬＥＤ１７から鉛直方向の上向きに発せられた光を長辺側の一端面から導入するとともに、その光を内部で伝播させつつ光学シート１５側、つまり前後方向の前側へ向くよう立ち上げて板面から出射させる機能を有する。
【００３６】
導光板１９は、図３及び図４に示すように、略板状をなしており、その表裏一対の板面のうち、前側の板面（光学シート１５との対向面）が内部の光を光学シート１５及び液晶パネル１１に向けて出射させる光出射面１９ａとなっている。導光板１９における板面に対して隣り合う外周端面は、鉛直方向に沿って長手状をなす一対の短辺側の端面と、水平方向（ＬＥＤ１７の並び方向）に沿って長手状をなす一対の長辺側の端面と、から構成されており、このうち鉛直方向の下側に配された長辺側の端面は、ＬＥＤ１７及びＬＥＤ基板１８と所定の空間を空けて対向状をなしており、これが、ＬＥＤ１７から発せられた光が入射される光入射面１９ｂとされる。この光入射面１９ｂは、ＬＥＤ１７と対向状をなしていることから、「ＬＥＤ対向端面（光源対向端面）」を構成している、とも言える。これに対して、導光板１９の外周端面のうち、上記した光入射面１９ｂを除いた他の３つの端面（光入射面１９ｂとは反対側の長辺側の端面、及び一対の短辺側の両端面）は、それぞれＬＥＤ１７とは対向しないＬＥＤ非対向端面（光源非対向端面）とされている。光入射面１９ｂと対向する各ＬＥＤ１７との間の距離は、ほぼ同一とされる。また、ＬＥＤ１７と光入射面１９ｂとの並び方向は、鉛直方向と一致しており、光出射面１９ａに並行している。
【００３７】
導光板１９における後側、つまり光出射面１９ａとは反対側の板面である反対板面１９ｃには、図７に示すように、導光板１９内の光を散乱反射することで、光出射面１９ａからの出射を促す光散乱パターンからなる光散乱反射部２１が設けられている。詳しくは、この光散乱反射部２１は、導光板１９内を伝播する光のうち反対板面１９ｃに達した光を散乱反射することで、光出射面１９ａに対する入射角が臨界角を超えない値となる光を生じさせ、もって光出射面１９ａからの光の出射を促すことができるものとされている。光出射面１９ａにおける単位面積当たりの出射光量（輝度）は、反対板面１９ｃにおける光散乱反射部２１の分布密度（反対板面１９ｃの単位面積当たりの光散乱反射部２１の面積比率）が高くなるほど多くなり、逆に同分布密度が低くなるほど少なくなる傾向にある。光散乱反射部２１は、光反射性材料からなり、その光反射性材料を導光板１９の反対板面１９ｃに印刷することで設けられている。この光反射性材料としては、例えば酸化チタンなどの金属酸化物を含有する白色を呈するインク（ペースト）が好ましく用いられる。光散乱反射部２１は、光反射性材料からなる多数の光散乱反射ドットを所定の分布となるよう配置してなる光散乱パターン２１ａにより構成されている。具体的には、光散乱パターン２１ａは、光散乱反射ドットの分布密度が、鉛直方向（Ｙ軸方向）について導光板１９の光入射面１９ｂ（ＬＥＤ１７）から遠ざかるほど大きくなり、逆に光入射面１９ｂに近づくほど小さくなるような分布でもって形成されてなる。光散乱パターン２１ａをこのような分布とするには、例えば光散乱反射ドットの径寸法を、鉛直方向について導光板１９の光入射面１９ｂから遠ざかるに連れて連続的に漸次大きくし、逆に光入射面１９ｂに近づくに連れて連続的に漸次小さくすればよい。各ＬＥＤ１７から光入射面１９ｂに入射した光は、導光板１９内を鉛直方向に沿って光入射面１９ｂからその反対側の端面に向けて伝播するが、上記のような光散乱パターン２１ａによれば、相対的に光量の多くなる光入射面１９ｂに近い側ほど光散乱パターン２１ａによる散乱反射が抑制されるのに対し、相対的に光量が少なくなる光入射面１９ｂから遠い側ほど光散乱パターン２１ａによる散乱反射が促進されるので、光出射面１９ａからの出射光量の分布、つまり輝度分布が鉛直方向について均一化されるようになっている。導光板１９に光散乱反射部２１を形成する際には、例えばシルク印刷（スクリーン印刷）、インクジェット印刷などの印刷手法が用いられている。このうち、シルク印刷を用いれば、導光板１９を大量に量産する場合に製造コストを低減することができる。一方、インクジェット印刷を用いれば、光散乱反射部２１を複雑な形態とする場合に高い精度でもって光散乱反射部２１を形成することができるなお、図３から図５では、光散乱反射部２１及びその光散乱パターン２１ａを網掛け状にして図示している。
【００３８】
反射シート２０は、合成樹脂製とされ、その表面が光の反射性に優れた白色をなしている。反射シート２０は、図３及び図４に示すように、導光板１９の後側に配されるとともに反対板面１９ｃから裏側から覆う形で配されている。反射シート２０は、導光板１９内の光や光散乱反射部２１により散乱反射された光を反射して光出射面１９ａ側（光学シート１５側）に向かうよう立ち上げることができ、それにより光の利用効率を向上させることができる。反射シート２０は、その外形（長辺寸法及び短辺寸法）は、導光板１９及び光学シート１５の外形よりも大きなものとされており、外周端部（一部を除く）が導光板１９及び光学シート１５の外周端部よりも外側に張り出す形で配されている。反射シート２０は、高い光反射性能（例えば光反射率が９０％以上）を有するものの、一定程度（０．数％〜数％程度）の光を透過し得るものとされており、次述するシャーシ１４に比べると、遮光性の観点では劣るものとされる。また、反射シート２０は、合成樹脂製とされているため、その熱膨張率が次述するシャーシ１４よりも高いものとされている。
【００３９】
シャーシ１４は、例えばアルミニウム板や電気亜鉛めっき綱板（ＳＥＣＣ）などの金属板からなるものとされる。従って、シャーシ１４は、上記したように合成樹脂製とされた反射シート２０に比べると、遮光性が相対的に高くなるとともに、熱膨張率が相対的に低くなっている。シャーシ１４は、図６に示すように、平面に視て液晶パネル１１及び導光板１９と同様に横長の方形状をなすとともに、その長辺方向が水平方向と一致し、短辺方向が鉛直方向と一致している。シャーシ１４は、図３及び図４に示すように、横長の方形状をなす底板部１４ａと、底板部１４ａにおける長辺側の一外端と短辺側の一外端とからそれぞれ一対ずつ立ち上がる一対の側板部１４ｂと、を有してなるものとされる。底板部１４ａは、反射シート２０及び導光板１９の各板面に沿って延在するとともに、反射シート２０を介して導光板１９及び光学シート１５を前後方向（Ｚ軸方向）について後側から支持することができ、「支持部本体」を構成していると言える。底板部１４ａは、光学シート１５、導光板１９、及び反射シート２０を、リール表示窓１０Ｗと重畳する部分を除いてほぼ全域にわたって支持することができる。底板部１４ａのうち、鉛直方向の下側の端部は、図３に示すように、後側に突き出すよう断面Ｌ字型に形成されており、ここがＬＥＤ１７及びＬＥＤ基板１８を収容するＬＥＤ収容部（光源収容部）１４ａ１とされている。一対の側板部１４ｂのうち、長辺側の側板部１４ｂは、ＬＥＤ収容部１４ａ１に連なる形で設けられており、当該長辺側の側板部１４ｂには、ＬＥＤ基板１８が取り付けられている。また、底板部１４ａのうち、鉛直方向の上側の端部も、上記したＬＥＤ収容部１４ａ１と同様に後側に突き出すよう断面Ｌ字型に形成されている。また、短辺側の側板部１４ｂは、図５に示すように、底板部１４ａにおける水平方向について図５に示す左側の端部に連なる形で設けられている。
【００４０】
光学シート１５は、導光板１９と同様に、ほぼ透明な合成樹脂製とされている。光学シート１５は、液晶パネル１１、導光板１９、及びシャーシ１４などと同様に平面に視て横長の方形状をなしている。光学シート１５は、図３及び図４に示すように、導光板１９の前側に配されていて、導光板１９と液晶パネル１１との間に介在する形で配されている。これにより、光学シート１５は、導光板１９からの出射光を透過するとともにその透過光に所定の光学作用を付与した上で、当該透過光を液晶パネル１１に向けて出射させることができる。光学シート１５は、複数枚（本実施形態では２枚）が互いに積層されている。具体的な光学シート１５の種類としては、例えば拡散シート、レンズシート、反射型偏光シートなどがあり、これらの中から適宜に選択して使用することが可能である。
【００４１】
フレーム１６は、光学シート１５、導光板１９、及び反射シート２０などと同様に合成樹脂製とされている。従って、フレーム１６は、その熱膨張率がこれら光学シート１５、導光板１９、及び反射シート２０と同等または近い値となっており、仮に差が生じたとしてもその大きさは、シャーシ１４などの金属部材の熱膨張率との間に生じる差に比べて小さくなっている。フレーム１６は、図３，図４及び図６に示すように、全体として導光板１９を全周にわたって取り囲む形で枠状（額縁状）をなしている。フレーム１６は、液晶パネル１１と導光板１９及び光学シート１５とにおける外周端部間に介在する形で配されるフレーム本体１６ａと、フレーム本体１６ａの外周端部から後側に向けて突出するフレーム側部１６ｂと、から構成されている。フレーム本体１６ａは、導光板１９及び光学シート１５の各外周端部に対して前側に重なる形で配されていて、同外周端部を前側からそれぞれ押さえることで、シャーシ１４との間で導光板１９、光学シート１５、及び反射シート２０を挟んで保持（挟持）することが可能とされる。フレーム本体１６ａは、液晶パネル１１の外周端部に対して後側に重なる形で配されていて、同外周端部を後側から支持することが可能とされる。フレーム側部１６ｂは、導光板１９の外周端面に対して対向状をなしている。フレーム側部１６ｂのうち、上側の長辺部及び一対の短辺部（下側の長辺部を除いた３つの辺部）は、導光板１９の各外端面に対して直接正対する形で配されているのに対し、下側の長辺部（ＬＥＤ基板１８側の長辺部）については、シャーシ１４の側板部１４ｂに対して外側に重なる形で配されていて、導光板１９の外端面（光入射面１９ｂ）との間に側板部１４ｂ及びＬＥＤ基板１８を介在させた配置とされている。また、フレーム側部１６ｂにおける上側の長辺部には、前後に開口するとともにそこに通されるフレキシブル基板１１ａを個別に取り囲むフレキシブル基板囲い部１６ｃが設けられている。
【００４２】
上記したバックライト装置１２の構成部品のうち、光学シート１５、反射シート２０、及びシャーシ１４には、図３，図５及び図６に示すように、少なくとも回転リール６の一部である有効表示部６ｂと正対する部分にそれぞれ開口部２２〜２４が形成されるとともに、光散乱反射部２１には、少なくとも有効表示部６ｂと正対する部分に光散乱パターン２１ａの非形成領域２５が形成されており、これらの開口部２２〜２４及び光散乱パターン２１ａの非形成領域２５によってリール表示窓１０Ｗが構成されている。そして、これらの開口部２２〜２４及び光散乱パターン２１ａの非形成領域２５における形成範囲は、以下のようにされることで、遊技者が回転リール６の有効表示部６ｂを正面ではなく、斜めから見ようとした場合に生じ得る表示品位の低下を抑制することがきるものとされる。
【００４３】
まず、光学シート１５のうち、回転リール６の有効表示部６ｂと正対する部分には、図３及び図５に示すように、光学シート側開口部（光学部材側開口部）２２が形成されている。光学シート側開口部２２は、正面から見て縦長の方形状をなしており（図６を参照）、その幅寸法（水平方向についての寸法）が有効表示部６ｂの幅寸法と、高さ寸法（鉛直方向についての寸法）が有効表示部６ｂの高さ寸法と、それぞれほぼ同じ大きさとされている。つまり、光学シート１５における光学シート側開口部２２の形成範囲は、正面から見た有効表示部６ｂの大きさとほぼ一致している。光学シート側開口部２２は、光学シート１５における鉛直方向の中央位置よりも下側に偏在する形で配されている。光学シート側開口部２２は、水平方向、つまり回転リール６の並び方向に沿って３つが間隔を空けて並んで配されており、隣り合う光学シート側開口部２２の間の間隔は、隣り合う回転リール６の間の間隔とほぼ等しくなっている。具体的には、隣り合う光学シート側開口部２２の間の間隔は、例えば１０ｍｍ程度の大きさとされている。この隣り合う光学シート側開口部２２の間の間隔は、光学シート１５において隣り合う光学シート側開口部２２の間の部分の幅寸法のことである。この光学シート側開口部２２は、後述するシャーシ側開口部２４及び光散乱パターン２１ａの非形成領域２５に比べて形成範囲（開口範囲）が狭くなっているものの、光学シート側開口部２２が形成された光学シート１５は、バックライト装置１２を構成する光学部品の中で最も液晶パネル１１の近くに配されているので、光学シート側開口部２２の開口縁部が視差により視認され難いものとされる。それよりも、光学シート側開口部２２の形成範囲が上記のように狭くされることで、光散乱パターン２１ａによる散乱光、及び反射シート２０による反射光をより広範囲にわたって光学シート１５へと導入して光学作用を付与し、その透過光を液晶パネル１１へ向かわせることができるので、リール表示窓１０Ｗ周辺において液晶パネル１１の画像が局所的に暗くならずに良好に表示されて表示品位に優れるとともに遊技者の興趣をより沸かせることができる。
【００４４】
反射シート２０のうち、回転リール６の有効表示部６ｂと正対する部分には、図３及び図５に示すように、反射シート側開口部（反射部材側開口部）２３が形成されている。反射シート側開口部２３は、正面から見て縦長の方形状をなしており（図６を参照）、その幅寸法（水平方向についての寸法）が有効表示部６ｂ及び光学シート側開口部２２の幅寸法と、高さ寸法（鉛直方向についての寸法）が有効表示部６ｂ及び光学シート側開口部２２の高さ寸法と、それぞれほぼ同じ大きさとされている。つまり、反射シート１５における反射シート側開口部２３の開口範囲は、正面から見た有効表示部６ｂの大きさ、及び光学シート側開口部２２の開口範囲とほぼ一致している。反射シート側開口部２３は、反射シート２０のうち、光学シート側開口部２２と前後に重畳する部分に形成されている、と言える。反射シート側開口部２３は、反射シート２０における鉛直方向の中央位置よりも下側に偏在する形で配されている。反射シート側開口部２３は、水平方向、つまり回転リール６及び光学シート側開口部２２の並び方向に沿って３つが間隔を空けて並んで配されており、隣り合う反射シート側開口部２３の間の間隔は、隣り合う回転リール６の間の間隔、及び隣り合う光学シート側開口部２２の間の間隔のそれぞれとほぼ等しくなっている。具体的には、隣り合う反射シート側開口部２３の間の間隔は、例えば１０ｍｍ程度の大きさとされている。この隣り合う反射シート側開口部２３の間の間隔は、反射シート２０において隣り合う反射シート側開口部２３の間の部分の幅寸法のことである。各反射シート側開口部２３は、各光学シート側開口部２２に対して正面から見て同心状に配置されている。この反射シート側開口部２３は、後述するシャーシ側開口部２４及び光散乱パターン２１ａの非形成領域２５に比べて形成範囲（開口範囲）が狭くなっているものの、シャーシ１４のような遮光部材に比べると、光を透過し易いものとされているので、反射シート側開口部２３の開口縁部が視差によって遊技者の視界に入った場合でも、影として視認され難いものとされる。それよりも、反射シート側開口部２３の形成範囲が上記のように狭くされることで、リール表示窓１０Ｗ周辺において導光板１９内の光や光散乱反射部２１により散乱反射された光を立ち上げて光学シート１５へと供給することができるので、リール表示窓１０Ｗ周辺において液晶パネル１１の画像が局所的に暗くならずに良好に表示されて表示品位に優れるとともに遊技者の興趣をより沸かせることができる。
【００４５】
光散乱反射部２１のうち、回転リール６の有効表示部６ｂと正対する部分を含んでいてそれよりも広い範囲は、図７から図１１に示すように、光散乱パターン２１ａの非形成領域２５とされている。つまり、光散乱パターン２１ａの非形成領域２５は、光散乱反射部２１において、光学シート側開口部２２及び反射シート側開口部２３よりも拡張された範囲にわたるものとされる。光散乱パターン２１ａの非形成領域２５は、正面から見て縦長の方形状をなしており（図６を参照）、その幅寸法（水平方向についての寸法）が光学シート側開口部２２及び反射シート側開口部２３の幅寸法よりも大きくされるとともに、高さ寸法（鉛直方向についての寸法）が光学シート側開口部２２及び反射シート側開口部２３の高さ寸法よりも大きくされている。つまり、光散乱パターン２１ａの非形成領域２５は、光学シート側開口部２２及び反射シート側開口部２３に比べて正面から見た大きさが一回り大きなものとされており、その範囲を規定する枠状の端部が、光学シート側開口部２２及び反射シート側開口部２３の同枠状の端部（開口端部）を、正面から見て外側から全周にわたって取り囲むように配されている。従って、光散乱パターン２１ａは、光学シート１５に比べると、視差によって遊技者の視界に入り難くなるので、光散乱パターン２１ａによる散乱光が遊技者の目に入る事態を生じ難くなり、光散乱パターン２１ａが輝点として視認され難くなる。これにより、回転リール６の有効表示部６ｂ及び液晶パネル１１における表示品位の向上が図られる。光散乱パターン２１ａの非形成領域２５は、光散乱反射部２１（導光板１９）における鉛直方向の中央位置よりも下側に偏在する形で配されている。光散乱パターン２１ａの非形成領域２５は、図７から図９に示すように、水平方向、つまり光学シート側開口部２２及び反射シート側開口部２３の並び方向に沿って３つが間隔を空けて並んで配されており、隣り合う光散乱パターン２１ａの非形成領域２５の間の間隔は、隣り合う光学シート側開口部２２の間の間隔、及び隣り合う反射シート側開口部２３の間の間隔よりも狭くなっている。この隣り合う光散乱パターン２１ａの非形成領域２５の間の間隔は、光散乱反射部２１において隣り合う光散乱パターン２１ａの非形成領域２５の間の部分の幅寸法のことである。なお、以下では光散乱パターン２１ａの非形成領域２５、光学シート側開口部２２、反射シート側開口部２３、及びシャーシ側開口部２４を区別する場合には、図５に示す左端のものの符号に添え字Ｌを、同図中央のものの符号に添え字Ｃを、同図右端のものの符号に添え字Ｒを付し、区別せずに総称する場合には、符号に添え字を付さないものとする。
【００４６】
光散乱パターン２１ａにおける３つの非形成領域２５のうち、左右両端の非形成領域２５Ｌ，２５Ｒは、図５に示すように、光散乱反射部２１において、隣り合う回転リール６（光学シート側開口部２２及び反射シート側開口部２３）の間となる部分に加えて、一列に並ぶ３つずつの回転リール６を、その並び方向について両側から一括して挟み込む部分にまで拡張された範囲に形成されている、と言える。このような構成によれば、上記した並び方向（水平方向）についての視差に起因して光散乱パターン２１ａによる散乱光が遊技者の目に直接入り難くなるものとされる。そして、光散乱パターン２１ａにおける左右両端の非形成領域２５Ｌ，２５Ｒは、図７から図９に示すように、光学シート側開口部２２及び反射シート側開口部２３をその並び方向について両側から一括して挟み込む部分における拡張寸法２５Ｅ１が、隣り合う光学シート側開口部２２及び反射シート側開口部２３の間となる部分における拡張寸法２５Ｅ２よりも大きくなっている。光散乱パターン２１ａのうち、光学シート側開口部２２及び反射シート側開口部２３をその並び方向について両側から一括して挟み込む部分は、隣り合う光学シート側開口部２２及び反射シート側開口部２３の間となる部分に比べると、視差によって視認され得る範囲が相対的に広くなっている。その点、上記した拡張寸法２５Ｅ１，２５Ｅ２の関係によれば、光散乱パターン２１ａのうち、光学シート側開口部２２及び反射シート側開口部２３をその並び方向について両側から一括して挟み込む部分が視差によって視認される事態の発生が効果的に抑制され、表示品位の向上により好適となる。
【００４７】
さらには、光散乱パターン２１ａの非形成領域２５は、図１０及び図１１に示すように、光学シート側開口部２２及び反射シート側開口部２３に対する鉛直方向の上側部分と下側部分とにまでそれぞれ拡張された範囲に形成されていて、そのうちの下側部分における拡張寸法２５Ｅ３が、上側部分における拡張寸法２５Ｅ４よりも大きくなるものとされている。既述した通り、使用者が光学シート側開口部２２などを通して回転リール６を見下ろす形で視認する場合には、光散乱反射部２１のうち、光学シート側開口部２２に対する鉛直方向の下側部分の方が、同上側部分に比べると、視差によって視認され得る範囲が相対的に広くなっている。その点、上記した拡張寸法２５Ｅ３，２５Ｅ４の関係により、光散乱反射部２１のうち、光学シート側開口部２２に対する鉛直方向の下側部分が視差によって視認される事態が生じ難くなる。これにより、表示品位をより良好なものとすることができる。
【００４８】
続いて、光散乱パターン２１ａにおける３つの非形成領域２５の寸法関係について詳しく説明する。光散乱パターン２１ａにおいて水平方向に並ぶ３つの非形成領域２５は、高さ寸法が全て同一とされているものの（図６を参照）、幅寸法に関しては、図５に示すように、光散乱パターン２１ａにおける左右両端の非形成領域２５Ｌ，２５Ｒの各幅寸法が、光散乱パターン２１ａにおける中央の非形成領域２５Ｃの幅寸法よりも大きくなっている。左右両端の非形成領域２５Ｌ，２５Ｒの各幅寸法は、互いに等しくなっている。詳細には、光散乱パターン２１ａの非形成領域２５における高さ寸法は、光学シート側開口部２２及び反射シート側開口部２３の高さ寸法よりも例えば１．７ｍｍ程度大きくされている。光散乱パターン２１ａの非形成領域２５は、図３に示すように、光学シート側開口部２２及び反射シート側開口部２３に対して鉛直方向について下寄りに偏心する配置とされている。光散乱パターン２１ａの非形成領域２５における上側の端部と、光学シート側開口部２２及び反射シート側開口部２３における上側の端部と、の間の寸法差（光散乱パターン２１ａの非形成領域２５における上記した拡張寸法２５Ｅ４）は、図１０に示すように、例えば０．７ｍｍ程度とされるのに対し、光散乱パターン２１ａの非形成領域２５における下側の端部と、光学シート側開口部２２及び反射シート側開口部２３における下側の端部と、の間の寸法差（光散乱パターン２１ａの非形成領域２５における拡張寸法２５Ｅ３）は、図１１に示すように、例えば１．０ｍｍ程度とされる。
【００４９】
光散乱パターン２１ａにおける中央の非形成領域２５Ｃは、図５に示すように、幅寸法が中央の光学シート側開口部２２Ｃ及び反射シート側開口部２３Ｃの幅寸法よりも例えば１．４ｍｍ程度大きくされている。光散乱パターン２１ａにおける中央の非形成領域２５Ｃは、水平方向についての中心が、中央の光学シート側開口部２２Ｃ及び反射シート側開口部２３Ｃにおける同中心と重なるよう、つまり同心となる位置に配されている。従って、光散乱パターン２１ａの中央の非形成領域２５Ｃにおける左側の端部と、中央の光学シート側開口部２２Ｃ及び反射シート側開口部２３Ｃにおける左側の端部と、の寸法差が例えば０．７ｍｍとされるのに対し、光散乱パターン２１ａの中央の非形成領域２５Ｃにおける右側の端部と、中央の光学シート側開口部２２Ｃ及び反射シート側開口部２３Ｃにおける右側の端部と、の寸法差が例えば０．７ｍｍとされており、水平方向についての左右の寸法差が互いに等しくなっている。これに対し、光散乱パターン２１ａにおける左右両端の各非形成領域２５Ｌ，２５Ｒは、各幅寸法が左右両端の光学シート側開口部２２Ｌ，２２Ｒ及び反射シート側開口部２３Ｌ，２３Ｒの各幅寸法よりもそれぞれ例えば１．７ｍｍ程度大きくされている。光散乱パターン２１ａにおける左右両端の各非形成領域２５Ｌ，２５Ｒは、水平方向についての中心が、左右両端の光学シート側開口部２２Ｌ，２２Ｒ及び反射シート側開口部２３Ｌ，２３Ｒにおける同中心とは重ならず、同中心に対して中央の各開口部２２Ｃ，２３Ｃ側とは反対側にそれぞれ偏心して配されている。従って、光散乱パターン２１ａの左端の非形成領域２５Ｌにおける左側の端部と、左端の光学シート側開口部２２Ｌ及び反射シート側開口部２３Ｌにおける左側の端部と、の寸法差（光散乱パターン２１ａの非形成領域２５における拡張寸法２５Ｅ１）は、図７に示すように、例えば１．０ｍｍとされるのに対し、光散乱パターン２１ａの左端の非形成領域２５Ｌにおける右側の端部と、左端の光学シート側開口部２２Ｌ及び反射シート側開口部２３Ｌにおける右側の端部と、の寸法差（光散乱パターン２１ａの非形成領域２５における拡張寸法２５Ｅ２）は、図８に示すように、例えば０．７ｍｍとされており、前者の寸法差が後者の寸法差よりも大きくなっている。同様に、光散乱パターン２１ａの右端の非形成領域２５Ｒにおける左側の端部と、右端の光学シート側開口部２２Ｒ及び反射シート側開口部２３Ｒにおける左側の端部と、の寸法差（光散乱パターン２１ａの非形成領域２５における拡張寸法２５Ｅ２）は、図８に示すように、例えば０．７ｍｍとされるのに対し、光散乱パターン２１ａの右端の非形成領域２５Ｒにおける右側の端部と、右端の光学シート側開口部２２Ｒ及び反射シート側開口部２３Ｒにおける右側の端部と、の寸法差（光散乱パターン２１ａの非形成領域２５における拡張寸法２５Ｅ１）は、図９に示すように、例えば１．０ｍｍとされており、後者の寸法差が前者の寸法差よりも大きくなっている。このように、光散乱パターン２１ａにおける左右両端の各非形成領域２５Ｌ，２５Ｒは、それぞれ中央の非形成領域２５Ｃから水平方向について遠ざかる向きに偏在している、と言える。また、隣り合う光散乱パターン２１ａの非形成領域２５の間の間隔は、図８に示すように、隣り合う光学シート側開口部２２（反射シート側開口部２３）の間の間隔から、上記した拡張寸法２５Ｅ２の２倍の寸法を差し引いた大きさとなり、例えば８．６ｍｍ程度の大きさとされている。
【００５０】
シャーシ１４の底板部１４ａのうち、回転リール６の有効表示部６ｂと正対する部分を含んでいてそれよりも広い部分には、図３及び図５に示すように、シャーシ側開口部（支持部材側開口部）２４が形成されている。つまり、シャーシ側開口部２４は、シャーシ１４の底板部１４ａにおいて、光学シート側開口部２２及び反射シート側開口部２３よりも拡張された範囲にわたって形成されている。さらには、シャーシ側開口部２４は、シャーシ１４の底板部１４ａにおいて、光散乱反射部２１における光散乱パターン２１ａの非形成領域２５よりも拡張された範囲にわたって形成されている。シャーシ側開口部２４は、正面から見て縦長の方形状をなしており（図６を参照）、その幅寸法（水平方向についての寸法）が光学シート側開口部２２、反射シート側開口部２３、及び光散乱パターン２１ａの非形成領域２５の幅寸法よりも大きくされるとともに、高さ寸法（鉛直方向についての寸法）が光学シート側開口部２２、反射シート側開口部２３、及び光散乱パターン２１ａの非形成領域２５の高さ寸法よりも大きくされている。つまり、シャーシ側開口部２４は、光学シート側開口部２２、反射シート側開口部２３、及び光散乱パターン２１ａの非形成領域２５に比べて正面から見た大きさが一回り大きなものとされており、その範囲を規定する枠状の端部が、光学シート側開口部２２、反射シート側開口部２３、及び光散乱パターン２１ａの非形成領域２５の同枠状の端部（開口端部）を、正面から見て外側から全周にわたって取り囲むように配されている。このように、シャーシ側開口部２４が光散乱パターン２１ａの非形成領域２５よりも拡張された範囲にわたって形成されているので、熱環境が高温状態となり、バックライト装置１２の各構成部品に熱膨張が生じた場合に、合成樹脂製の反射シート２０における熱膨張に伴う変位量が、金属製のシャーシ１４における熱膨張に伴う変位量が多くなっても、シャーシ１４の底板部１４ａにおけるシャーシ側開口部２４の開口縁付近が反射シート２０によって覆われなくなる、といった状態が生じ難くなる。これにより、シャーシ１４の底板部１４ａが視差によって遊技者の視界に入る事態が回避されるので、底板部１４ａにおけるシャーシ側開口部２４の開口縁付近が影として視認され難くなり、もって回転リール６の有効表示部６ｂ及び液晶パネル１１の表示品位を良好なものとすることができる。シャーシ側開口部２４は、シャーシ１４の底板部１４ａにおける鉛直方向の中央位置よりも下側に偏在する形で配されている。シャーシ側開口部２４は、図７から図９に示すように、水平方向、つまり光学シート側開口部２２、反射シート側開口部２３、光散乱パターン２１ａの非形成領域２５の並び方向に沿って３つが間隔を空けて並んで配されており、隣り合うシャーシ側開口部２４の間の間隔は、隣り合う光学シート側開口部２２の間の間隔、隣り合う反射シート側開口部２３、及び隣り合う光散乱パターン２１ａの非形成領域２５の間の間隔よりも狭くなっている。この隣り合うシャーシ側開口部２４の間の間隔は、シャーシ１４の底板部１４ａにおいて、隣り合うシャーシ側開口部２４の間の部分の幅寸法のことである。
【００５１】
３つのシャーシ側開口部２４のうち、左右両端のシャーシ側開口部２４Ｌ，２４Ｒは、図５に示すように、シャーシ１４の底板部１４ａにおいて、隣り合う回転リール６（光学シート側開口部２２、反射シート側開口部２３、及び光散乱パターン２１ａの非形成領域２５）の間となる部分に加えて、一列に並ぶ３つずつの回転リール６を、その並び方向について両側から一括して挟み込む部分にまで拡張された範囲に形成されている、と言える。しかも、各シャーシ側開口部２４は、図７から図９に示すように、隣り合う回転リール６の間となる部分における拡張寸法２４Ｅ２は、同部分における光散乱パターン２１ａの非形成領域２５の拡張寸法２５Ｅ２よりも大きくされている。ここで、隣り合う回転リール６の間となる部分では、視差による視認を防ぐために光散乱パターン２１ａの幅寸法が僅かしか確保されないため、光散乱反射部２１による光の出射が不十分となりがちとなる。その点、上記した構成によれば、反射シート２０のうち、一列に並ぶ複数の回転リール６の間に挟まれた部分における両側には、それぞれシャーシ１４の底板部１４ａによって覆われることがない部分が生じることになる。従って、リール用ランプ部７からの光がシャーシ１４によって遮光されることなく、反射シート２０のうち、一列に並ぶ複数の回転リール６の間に挟まれた部分における両側の部分を透過して導光板１９内へと導入されるので、当該光を光出射面１９ａからの出射光として利用することが可能となる。つまり、回転リール６を視認させるための光の一部を、液晶パネル１１のうち、一列に並ぶ複数の回転リール６の間に挟まれた部分での表示に利用することができ、それにより当該部分での輝度不足が補われて表示品位をより良好なものとすることができる。また、上記した拡張寸法２４Ｅ２は、光学シート側開口部２２、反射シート側開口部２３、及び光散乱パターン２１ａの非形成領域２５をその並び方向について両側から一括して挟み込む部分における拡張寸法２４Ｅ１と等しくなっている。
【００５２】
さらには、シャーシ側開口部２４は、図１０及び図１１に示すように、光学シート側開口部２２、反射シート側開口部２３、及び光散乱パターン２１ａの非形成領域２５に対する鉛直方向の上側部分と下側部分とにまでそれぞれ拡張された範囲に形成されていて、そのうちの下側部分における拡張寸法２４Ｅ３が、上側部分における拡張寸法２４Ｅ４よりも大きくなるものとされている。既述した通り、光学シート側開口部２２は、液晶パネル１１における鉛直方向の下側に偏在する構成とされているため、液晶パネル１１のうち、光学シート側開口部２２に対する鉛直方向の下側部分が同上側部分よりも狭くなる。このため、当該下側部分においてバックライト装置１２から供給される光量が不足しがちとなり、表示品位が低下することが懸念される。その点、上記した拡張寸法２４Ｅ３，２４Ｅ４の関係によれば、反射シート２０のうち、光学シート側開口部２２に対する鉛直方向の下側部分には、シャーシ１４によって覆われることがない部分が生じることになる。従って、リール用ランプ部７からの光がシャーシ１４によって遮光されることなく、反射シート２０のうち、反射シート側開口部２３に対する鉛直方向の下側部分における反射シート側開口部２３の開口縁を透過して導光板１９内へと導入されるので、当該光を光出射面１９ａからの出射光として利用することが可能となる。つまり、回転リール６を視認させるための光の一部を、液晶パネル１１のうち、光学シート側開口部２２に対する鉛直方向の下側部分での表示に利用することができ、それにより当該下側部分での輝度不足が補われて表示品位をより良好なものとすることができる。
【００５３】
続いて、３つのシャーシ側開口部２４の寸法関係について詳しく説明する。水平方向に並ぶ３つのシャーシ側開口部２４は、高さ寸法が全て同一とされるとともに（図６を参照）、幅寸法についても全て同一とされている（図５を参照）。詳細には、シャーシ側開口部２４における高さ寸法は、光学シート側開口部２２及び反射シート側開口部２３の高さ寸法よりも例えば４．５ｍｍ程度大きくされ、また、光散乱パターン２１ａの非形成領域２５の高さ寸法よりも例えば２．８ｍｍ程度大きくされている。シャーシ側開口部２４は、図３に示すように、光学シート側開口部２２及び反射シート側開口部２３に対して鉛直方向について下寄りに偏心する配置とされている。シャーシ側開口部２４における上側の端部と、光学シート側開口部２２及び反射シート側開口部２３における上側の端部と、の間の寸法差（シャーシ側開口部２４における上記した拡張寸法２４Ｅ４）は、図１０に示すように、例えば２．０ｍｍ程度とされるのに対し、シャーシ側開口部２４における下側の端部と、光学シート側開口部２２及び反射シート側開口部２３における下側の端部と、の間の寸法差（シャーシ側開口部２４における拡張寸法２５Ｅ３）は、図１１に示すように、例えば２．５ｍｍ程度とされており、後者の寸法差が前者の寸法差よりも大きくなっている。また、シャーシ側開口部２４における上側の端部と、光散乱パターン２１ａの非形成領域２５における上側の端部と、の間の寸法差（拡張寸法２４Ｅ４から拡張寸法２５Ｅ４を差し引いた寸法）は、図１０に示すように、例えば１．３ｍｍ程度とされるのに対し、シャーシ側開口部２４における下側の端部と、光散乱パターン２１ａの非形成領域２５における下側の端部と、の間の寸法差（拡張寸法２４Ｅ３から拡張寸法２５Ｅ３を差し引いた寸法）は、図１１に示すように、例えば１．５ｍｍ程度とされており、後者の寸法差が前者の寸法差よりも大きくなっている。
【００５４】
水平方向に並ぶ３つのシャーシ側開口部２４は、図５に示すように、幅寸法が光学シート側開口部２２及び反射シート側開口部２３の幅寸法よりも例えば４．０ｍｍ程度大きくされ、また、光散乱パターン２１ａの非形成領域２５の幅寸法よりも例えば２．３ｍｍ程度大きくされている。シャーシ側開口部２４は、水平方向についての中心が、光学シート側開口部２２及び反射シート側開口部２３における同中心と重なるよう、つまり同心となる位置に配されている。従って、シャーシ側開口部２４における左側の端部と、光学シート側開口部２２及び反射シート側開口部２３における左側の端部と、の寸法差（シャーシ側開口部２４における上記した拡張寸法２４Ｅ１）は、例えば２．０ｍｍとされるのに対し、シャーシ側開口部２４における右側の端部と、光学シート側開口部２２及び反射シート側開口部２３における右側の端部と、の寸法差（シャーシ側開口部２４における上記した拡張寸法２４Ｅ２）は、例えば２．０ｍｍとされており、両寸法差が等しくなっている。
【００５５】
一方、左端のシャーシ側開口部２４Ｌにおける左側の端部と、光散乱パターン２１ａにおける左端の非形成領域２５Ｌにおける左側の端部と、の寸法差（拡張寸法２４Ｅ１から拡張寸法２５Ｅ１を差し引いた寸法）は、図７及び図８に示すように、例えば１．０ｍｍとされるのに対し、左端のシャーシ側開口部２４Ｌにおける右側の端部と、光散乱パターン２１ａにおける左端の非形成領域２５Ｌにおける右側の端部と、の寸法差（拡張寸法２４Ｅ２から拡張寸法２５Ｅ２を差し引いた寸法）は、例えば１．３ｍｍとされており、後者の寸法差が前者の寸法差よりも大きくなっている。同様に、右端のシャーシ側開口部２４Ｒにおける左側の端部と、光散乱パターン２１ａにおける右端の非形成領域２５Ｒにおける左側の端部と、の寸法差（拡張寸法２４Ｅ２から拡張寸法２５Ｅ２を差し引いた寸法）は、図８及び図９に示すように、例えば１．３ｍｍとされるのに対し、右端のシャーシ側開口部２４Ｒにおける右側の端部と、光散乱パターン２１ａにおける右端の非形成領域２５Ｒにおける右側の端部と、の寸法差（拡張寸法２４Ｅ１から拡張寸法２５Ｅ１を差し引いた寸法）は、例えば１．０ｍｍとされており、前者の寸法差が後者の寸法差よりも大きくなっている。また、中央のシャーシ側開口部２４Ｃにおける左側の端部と、光散乱パターン２１ａにおける中央の非形成領域２５Ｃにおける左側の端部と、の寸法差（拡張寸法２４Ｅ２から拡張寸法２５Ｅ２を差し引いた寸法）は、図８に示すように、例えば１．３ｍｍとされるのに対し、中央のシャーシ側開口部２４Ｃにおける右側の端部と、光散乱パターン２１ａにおける中央の非形成領域２５Ｃにおける右側の端部と、の寸法差（拡張寸法２４Ｅ２から拡張寸法２５Ｅ２を差し引いた寸法）は、例えば１．３ｍｍとされており、両寸法差が等しくなっている。また、隣り合うシャーシ側開口部２４の間の間隔は、図８に示すように、隣り合う光学シート側開口部２２（反射シート側開口部２３）の間の間隔から、上記した拡張寸法２４Ｅ２の２倍の寸法を差し引いた大きさとなり、例えば６．０ｍｍ程度の大きさとされている。
【００５６】
そして、既述した構成の光散乱反射部２１が反対板面１９ｃに付された導光板１９は、図６に示すように、位置決め部２６，２７によってフレーム１６に対して位置決めされるようになっている。位置決め部２６，２７は、合成樹脂製とされた導光板１９に形成された位置決め凹部２６と、導光板１９と同様に合成樹脂製とされたフレーム１６に形成された位置決め凸部２７と、から構成されており、これら位置決め凸部２７及び位置決め凹部２６が互いに凹凸嵌合することで、導光板１９の板面に沿う方向、つまり水平方向及び鉛直方向について、導光板１９がフレーム１６に対して位置決めされるようになっている。これら位置決め凸部２７及び位置決め凹部２６は、共に合成樹脂製とされた導光板１９及びフレーム１６にそれぞれ形成されているので、仮にフレームを金属製とした場合に比べると、導光板１９とフレーム１６との間に生じ得る熱膨張率の差が縮小されることになる。従って、位置決め凸部２７及び位置決め凹部２６の設計を行うに際して、大きさ遊びを持たせる必要がなく、両者が緊密に凹凸嵌合するように設計することが可能となる。これにより、導光板１９がフレーム１６に対して高い寸法精度でもって位置決めされることになるので、光散乱反射部２１を構成する光散乱パターン２１ａ及びその非形成領域２５が、光学シート１５の光学シート側開口部２２、反射シート２０の反射シート側開口部２３、及びシャーシ１４のシャーシ側開口部２４に対して極めて位置ずれし難いものとされる。もって、視差によって光散乱パターン２１ａなどが目視される問題を一層生じ難くすることができる。また、位置決め凸部２７及び位置決め凹部２６の組は、導光板１９における水平方向の中央位置で且つ鉛直方向の一端位置となる１箇所と、導光板１９における鉛直方向の中央位置で且つ水平方向の両端位置となる２箇所と、にそれぞれ配置されているので、水平方向及び鉛直方向についてどの方向にもがたつき難い状態で位置決めが図られる。
【００５７】
以上説明したように本実施形態のスロットマシン用液晶表示装置（遊技機用表示装置）１０は、回転リール６の前側に配される液晶パネル（表示パネル）１１と、液晶パネル１１と回転リール６との間に介在する形で配されるとともに、液晶パネル１１に光を供給するバックライト装置（照明装置）１２であって、ＬＥＤ（光源）１７と、少なくとも一端面がＬＥＤ１７の光が入射される光入射面１９ｂとされるとともに、前側の板面が液晶パネル１１の板面と対向状をなして光を出射する光出射面１９ａとされる導光板１９と、導光板１９と液晶パネル１１との間に介在する形で配されて光出射面１９ａから出射した光を、光学作用を付与しつつ液晶パネル１１側に透過する光学シート（光学部材）１５であって、回転リール６と正対する部分の少なくとも一部に光学シート側開口部（光学部材側開口部）２２が形成されてなる光学シート１５と、導光板１９の後側に配されて導光板１９内の光を反射する反射シート（反射部材）２０であって、光学シート側開口部２２と重畳する部分に反射シート側開口部（反射部材側開口部）２３が形成されてなる反射シート２０と、導光板１９における後側の板面に付されていて導光板１９内の光を散乱反射することで光出射面１９ａからの出光を促す光散乱パターン２１ａからなる光散乱反射部２１であって、少なくとも光学シート側開口部２２よりも拡張された範囲が光散乱パターン２１ａの非形成領域２５とされる光散乱反射部２１と、反射シート２０の後側に配されていて反射シート２０を介して導光板１９及び光学シート１５を後側から支持するシャーシ（支持部材）１４であって、少なくとも反射シート側開口部２３よりも拡張された範囲にシャーシ側開口部（支持部材側開口部）２４が形成されてなるシャーシ１４と、を有してなるバックライト装置１２と、を備える。
【００５８】
このようにすれば、ＬＥＤ１７から発せられた光は、導光板１９の光入射面１９ｂに入射すると、導光板１９内を伝播する過程で光散乱反射部２１を構成する光散乱パターン２１ａによって散乱反射されるとともに反射シート２０により反射されることで光出射面１９ａから出射される。光出射面１９ａから出射された光により液晶パネル１１には画像が表示される。一方、シャーシ１４、反射シート２０、及び光学シート１５に形成された各開口部、並びに光散乱反射部２１における光散乱パターン２１ａの非形成領域２５によって回転リール６が当該スロットマシン用液晶表示装置１０の使用者に視認されるようになっている。
【００５９】
ここで、光散乱反射部２１は、光散乱パターン２１ａが導光板１９の裏側の板面において全域にわたって形成されておらず、少なくとも光学シート側開口部２２よりも拡張された範囲、つまり、回転リール６と正対する部分よりも拡張された範囲が光散乱パターン２１ａの非形成領域２５とされているので、使用者が回転リール６を正面からではなく、斜めから見た場合であっても、視差に起因して光散乱パターン２１ａによる散乱光が直接使用者の目に入る事態を生じ難くすることができる。しかも、光学シート１５は、光学シート側開口部２２が光散乱パターン２１ａの非形成領域２５よりも狭くなるよう形成されているので、使用者が回転リール６を斜めから見たときに、光散乱パターン２１ａによる散乱光が光学シート１５によって使用者の目に直接入り難くすることができる。これにより、光散乱パターン２１ａが輝点として視認される事態が生じ難くなり、もって回転リール６及び液晶パネル１１の表示品位を良好なものとすることができる。
【００６０】
そして、シャーシ１４は、少なくとも反射シート側開口部２３よりも拡張された範囲にシャーシ側開口部２４が形成されてなるものであるから、支持する反射シート２０と熱膨張率が異なっていて反射シート２０の熱膨張に伴う変位量がシャーシ１４の熱膨張に伴う変位量よりも大きくなった場合であっても、熱膨張時にシャーシ１４におけるシャーシ側開口部２４の開口縁付近が反射シート２０によって覆われなくなる、といった事態が生じ難くなる。これにより、シャーシ１４の表面が視差によって視認され難くなる。このシャーシ１４は、反射シート２０に比べると、概して透光性が低くて遮光性が高いものであるため、そのようなシャーシ１４が視認され難くなることで、影の発生が抑制され、もって回転リール６及び液晶パネル１１の表示品位を良好なものとすることができる。
【００６１】
また、光学シート側開口部２２は、複数が一列に並んで配される回転リール６に合わせて、複数ずつ一列に並んで配されるようそれぞれ形成されており、光散乱反射部２１及びシャーシ１４は、光散乱パターン２１ａの非形成領域２５及びシャーシ側開口部２４が、少なくとも一列に並ぶ複数の回転リール６の間に挟まれた部分にまで拡張された範囲にまでそれぞれ形成されている。このようにすれば、光散乱反射部２１のうち、一列に並ぶ複数の回転リール６の間に挟まれた部分においては、その両側に光散乱パターン２１ａの非形成領域２５がそれぞれ回転リール６と正対する部分よりも拡張される形で形成されることになる。これにより、光散乱パターン２１ａによる散乱光が光学シート１５によって使用者の目に直接入り難くなる効果が得られる反面、導光板１９の光出射面１９ａのうち、一列に並ぶ複数の回転リール６の間に挟まれた部分からは、光散乱反射部２１による光の出射が不十分となりがちとなって、当該部分と正対する液晶パネル１１の部分において表示品位が低下することが懸念される。その点、シャーシ１４のうち、一列に並ぶ複数の回転リール６の間に挟まれた部分においては、その両側にシャーシ側開口部２４がそれぞれ反射シート側開口部２３よりも拡張される形で形成されているので、反射シート２０のうち、一列に並ぶ複数の回転リール６の間に挟まれた部分における両側には、それぞれシャーシ１４によって覆われることがない部分が生じることになる。従って、回転リール６を視認させるための光がバックライト装置１２に対して後側から供給された場合には、その光がシャーシ１４によって遮光されることなく、反射シート２０のうち、一列に並ぶ複数の回転リール６の間に挟まれた部分における両側の部分を透過して導光板１９内へと導入されるので、当該光を光出射面１９ａからの出射光として利用することが可能となる。つまり、回転リール６を視認させるための光の一部を、液晶パネル１１のうち、一列に並ぶ複数の回転リール６の間に挟まれた部分での表示に利用することができ、それにより当該部分での輝度不足が補われて表示品位をより良好なものとすることができる。
【００６２】
また、光散乱反射部２１は、光散乱パターン２１ａの非形成領域２５が、少なくとも一列に並ぶ複数の回転リール６を、その並び方向について両側から一括して挟み込む部分にまで拡張された範囲に形成され、その拡張寸法２５Ｅ１が、一列に並ぶ複数の回転リール６の間に挟まれた部分における拡張寸法２５Ｅ２よりも大きくなるものとされる。光散乱反射部２１のうち、一列に並ぶ複数の回転リール６を、その並び方向について両側から一括して挟み込む部分は、一列に並ぶ複数の回転リール６の間に挟まれた部分に比べると、視差によって視認され得る範囲が相対的に広くなっている。その点、光散乱反射部２１のうち、一列に並ぶ複数の回転リール６を、その並び方向について両側から一括して挟み込む部分における光散乱パターン２１ａの非形成領域２５の拡張寸法２５Ｅ１が、一列に並ぶ複数の回転リール６の間に挟まれた部分における光散乱パターン２１ａの非形成領域２５の拡張寸法２５Ｅ２よりも大きくなっているから、光散乱反射部２１のうち、一列に並ぶ複数の回転リール６を、その並び方向について両側から一括して挟み込む部分が視差によって視認される事態が生じ難くなる。これにより、表示品位をより良好なものとすることができる。
【００６３】
また、光学シート側開口部２２は、液晶パネル１１における鉛直方向の中央位置よりも下側に偏在する形で配されており、光散乱反射部２１は、光散乱パターン２１ａの非形成領域２５が、少なくとも光学シート側開口部２２に対する鉛直方向の上側部分と下側部分とにまでそれぞれ拡張された範囲に形成され、下側部分における拡張寸法２５Ｅ３が、上側部分における拡張寸法２５Ｅ４よりも大きくなるものとされる。光学シート側開口部２２と共に他の各開口部２３，２４及び光散乱パターン２１ａの非形成領域２５が液晶パネル１１における鉛直方向の中央位置よりも下側に偏在する形で配されている場合、使用者の目線が、例えば液晶パネル１１における鉛直方向の中央位置にあれば、回転リール６は光学シート側開口部２２などを通してやや見下ろされる形で視認されることになる。これにより、使用者の眼精疲労を軽減することができ、例えば長時間にわたって遊技を行う場合に好適となる。このように使用者が光学シート側開口部２２などを通して回転リール６を見下ろす形で視認する場合には、光散乱反射部２１のうち、光学シート側開口部２２に対する鉛直方向の下側部分の方が、同上側部分に比べると、視差によって視認され得る範囲が相対的に広くなっている。その点、光散乱反射部２１は、光学シート側開口部２２に対する鉛直方向の下側部分における光散乱パターン２１ａの非形成領域２５の拡張寸法２５Ｅ３が、上側部分における光散乱パターン２１ａの非形成領域２５の拡張寸法２５Ｅ４よりも大きくなっているから、光散乱反射部２１のうち、光学シート側開口部２２に対する鉛直方向の下側部分が視差によって視認される事態が生じ難くなる。これにより、表示品位をより良好なものとすることができる。
【００６４】
また、光学シート側開口部２２は、液晶パネル１１における鉛直方向の中央位置よりも下側に偏在する形で配されており、シャーシ１４は、シャーシ側開口部２４が、少なくとも光学シート側開口部２２に対する鉛直方向の上側部分と下側部分とにまでそれぞれ拡張された範囲に形成され、下側部分における拡張寸法２４Ｅ３が、上側部分における拡張寸法２４Ｅ４よりも大きくなるものとされる。光学シート側開口部２２と共に他の各開口部２３，２４及び光散乱パターン２１ａの非形成領域２５が液晶パネル１１における鉛直方向の中央位置よりも下側に偏在する形で配されている場合、使用者の目線が液晶パネル１１における鉛直方向の中央位置にあれば、回転リール６は光学シート側開口部２２などを通してやや見下ろされる形で視認されることになる。これにより、使用者の眼精疲労を緩和することができ、例えば長時間にわたって遊技を行う場合に好適となる。このように光学シート側開口部２２が液晶パネル１１における鉛直方向の下側に偏在する構成では、液晶パネル１１のうち、光学シート側開口部２２に対する鉛直方向の下側部分が同上側部分よりも狭くなるため、当該下側部分においてバックライト装置１２から供給される光量が不足しがちとなり、表示品位が低下することが懸念される。その点、シャーシ１４は、光学シート側開口部２２に対する鉛直方向の下側部分におけるシャーシ側開口部２４の拡張寸法２４Ｅ３が、上側部分におけるシャーシ側開口部２４の拡張寸法２４Ｅ４よりも大きくなっているから、反射シート２０のうち、光学シート側開口部２２に対する鉛直方向の下側部分には、シャーシ１４によって覆われることがない部分が生じることになる。従って、回転リール６を視認させるための光がバックライト装置１２に対して後側から供給された場合には、その光がシャーシ１４によって遮光されることなく、反射シート２０のうち、光学シート側開口部２２に対する鉛直方向の下側部分における反射シート側開口部２３の開口縁を透過して導光板１９内へと導入されるので、当該光を光出射面１９ａからの出射光として利用することが可能となる。つまり、回転リール６を視認させるための光の一部を、液晶パネル１１のうち、光学シート側開口部２２に対する鉛直方向の下側部分での表示に利用することができ、それにより当該下側部分での輝度不足が補われて表示品位をより良好なものとすることができる。
【００６５】
また、光散乱反射部２１及びシャーシ１４は、光散乱パターン２１ａの非形成領域２５及びシャーシ側開口部２４が、光学シート側開口部２２を正面視において全周にわたって取り囲む形で拡張された範囲にまでそれぞれ形成されている。このようにすれば、使用者が回転リール６を斜めから見るにあたり、どの向きから見た場合であっても、視差に起因して光散乱パターン２１ａによる散乱光が直接使用者の目に入る事態を生じ難くすることができる。しかも、反射シート２０の熱膨張に伴い、反射シート側開口部２３の開口縁が回転リール６における正面視の中心から遠ざかるよう変位したとき、同開口縁がどの向きに変位した場合であっても、シャーシ１４の表面が視差によって視認され難くなる。以上により、表示品位を一層良好なものとすることができる。
【００６６】
また、反射シート２０は、反射シート側開口部２３の開口範囲が、光学シート側開口部２２の開口範囲以上になるよう形成されており、シャーシ１４は、シャーシ側開口部２４が、光散乱パターン２１ａの非形成領域２５よりも拡張された範囲になるよう形成されている。このように、反射シート側開口部２３の開口範囲が光学シート側開口部２２の開口範囲以上とされることで、回転リール６を斜めから見た場合に、視差によって反射シート２０が視認される事態を生じ難くすることができる。その上で、シャーシ側開口部２４が、光学シート側開口部２２より拡張された光散乱パターン２１ａの非形成領域２５よりもさらに拡張されることで、反射シート２０における反射シート側開口部２３の開口縁と、シャーシ１４におけるシャーシ側開口部２４の開口縁との間のマージンを十分に確保することができる。従って、熱膨張時にシャーシ１４におけるシャーシ側開口部２４の開口縁付近が反射シート２０によって覆われなくなる、といった事態がより確実に生じ難くなっている。これにより、シャーシ１４の表面が視差によって視認され難くなるので、影の発生がより好適に抑制され、もって回転リール６及び液晶パネル１１の表示品位をより良好なものとすることができる。
【００６７】
また、光散乱反射部２１は、少なくとも反射シート側開口部２３よりも拡張された範囲が光散乱パターン２１ａの非形成領域２５とされる。このようにすれば、光散乱パターン２１ａにより散乱反射した光を、反射シート２０によってより効率的に反射して光出射面１９ａ側に向かわせることができる。これにより、光の利用効率に優れる。
【００６８】
また、光学シート１５及び反射シート２０は、光学シート側開口部２２の開口範囲と、反射シート側開口部２３の開口範囲と、が等しくなるようそれぞれ形成されている。このようにすれば、反射シート２０によって反射した光を光学シート１５へと効率的に供給することができるから、光学シート１５のうち光学シート側開口部２２を除いた部分の全体から均一に光を出射させることができるとともに、光の利用効率が高いものとなる。
【００６９】
また、導光板１９は、光学シート側開口部２２と重畳する部分と、光学シート側開口部２２とは非重畳となる部分と、が連続するよう形成されている。このようにすれば、仮に導光板のうち光学シート側開口部２２と重畳する部分に開口を形成した場合には、導光板における複数の端面を光入射面とし、それら複数の光入射面に光を入射させるようＬＥＤを複数箇所に配置する必要が生じ、また光学シート側開口部２２と重畳する開口の開口縁からの光漏れが生じることも懸念される。その点、導光板１９は、光学シート側開口部２２と重畳する部分と、光学シート側開口部２２とは非重畳となる部分と、が連続するよう形成されているから、ＬＥＤ１７の設置箇所を上記よりも削減することができ、もってＬＥＤ１７の設置コスト、発熱量及び消費電力をそれぞれ低減させることができる。また、導光板１９から光漏れが生じ難くなるので、回転リール６の視認性もより高いものとなる。
【００７０】
また、導光板１９を取り囲む形で枠状をなすとともに合成樹脂製とされたフレーム１６が備えられるのに対し、導光板１９は、合成樹脂製とされており、フレーム１６及び導光板１９には、互いに凹凸嵌合することで、導光板１９をその板面に沿う方向について位置決めする位置決め凹部２６及び位置決め凸部２７（位置決め部）がそれぞれ形成されている。このようにすれば、仮にフレームを金属製とした場合に比べると、導光板１９とフレーム１６との間に生じ得る熱膨張率の差が縮小されることになる。従って、フレーム１６及び導光板１９にそれぞれ形成される位置決め凹部２６及び位置決め凸部２７を、より緊密に凹凸嵌合するような寸法設計を採ることが可能となる。これにより、導光板１９がフレーム１６に対してがたつき難くなるので、使用者が回転リール６を斜めから見たときに、視差によって光散乱パターン２１ａが視認される事態がより生じ難くなるとともに、シャーシ１４が影として視認される事態がより生じ難くなる。
【００７１】
また、位置決め凹部２６及び位置決め凸部２７は、導光板１９における水平方向の中央位置で且つ鉛直方向の一端位置となる１箇所と、導光板１９における鉛直方向の中央位置で且つ水平方向の両端位置となる２箇所と、に少なくとも配置されている。このようにすれば、導光板１９がその板面に沿う方向についてどの向きにもがたつき難い形で位置決めされる。これにより、使用者が回転リール６を斜めから見たときに、視差によって光散乱パターン２１ａが視認される事態が一層生じ難くなるとともに、シャーシ１４が影として視認される事態が一層生じ難くなる。
【００７２】
＜実施形態２＞
本発明の実施形態２を図１２によって説明する。この実施形態２では、隣り合う回転リール１０６の間の部分において、光散乱パターン１２１ａの非形成領域１２５に係る拡張寸法１２５Ｅ２と、シャーシ側開口部１２４に係る拡張寸法１２４Ｅ２と、の関係を変更したものを示す。なお、上記した実施形態１と同様の構造、作用及び効果について重複する説明は省略する。
【００７３】
光散乱反射部１２１は、図１２に示すように、隣り合う回転リール１０６の間の部分における光散乱パターン１２１ａの非形成領域１２５の拡張寸法１２５Ｅ２が、例えば１．０ｍｍ程度とされており、３つの回転リール１０６を並び方向について両側から一括して挟み込む部分における拡張寸法（図７及び図９に示す符号２５Ｅ１を参照）とほぼ同じ大きさとされている。つまり、水平方向に並んだ３つの光散乱パターン１２１ａの非形成領域１２５は、幅寸法が全て同一とされている。一方、シャーシ１１４は、隣り合う回転リール１０６の間の部分におけるシャーシ側開口部１２４の拡張寸法１２４Ｅ２が、例えば２．０ｍｍ程度とされており、上記した実施形態１と同じ値とされている。このため、光散乱パターン１２１ａの非形成領域１２５における水平方向についての端部と、シャーシ側開口部１２４における水平方向についての端部と、の寸法差（上記拡張寸法１２４Ｅ２から上記拡張寸法１２５Ｅ２を差し引いた寸法）は、例えば１．０ｍｍ程度とされており、上記拡張寸法１２５Ｅ２と等しくなっている。つまり、光散乱パターン１２１ａの非形成領域１２５における水平方向の端部が、光学シート側開口部１２２及び反射シート側開口部１２３における水平方向の端部から引っ込む量と、シャーシ側開口部１２５における水平方向の端部が、光散乱パターン１２１ａの非形成領域１２５における水平方向の端部から引っ込む量と、が等しくなっている。
【００７４】
＜実施形態３＞
本発明の実施形態３を図１３によって説明する。この実施形態３では、上記した実施形態１から、隣り合う回転リール２０６の間の部分において、光散乱パターン２２１ａの非形成領域１２５に係る拡張寸法２２５Ｅ２と、シャーシ側開口部２２４に係る拡張寸法２２４Ｅ２と、の関係を変更したものを示す。なお、上記した実施形態１と同様の構造、作用及び効果について重複する説明は省略する。
【００７５】
光散乱反射部２２１は、図１３に示すように、隣り合う回転リール２０６の間の部分における光散乱パターン２２１ａの非形成領域２２５の拡張寸法２２５Ｅ２が、例えば１．５ｍｍ程度とされており、３つの回転リール２０６を並び方向について両側から一括して挟み込む部分における拡張寸法（図７及び図９に示す符号２５Ｅ１を参照）よりも大きなものとされる。一方、シャーシ２１４は、隣り合う回転リール２０６の間の部分におけるシャーシ側開口部２２４の拡張寸法２２４Ｅ２が、例えば２．０ｍｍ程度とされており、上記した実施形態１と同じ値とされている。このため、光散乱反射部２２１において隣り合う回転リール２０６の間の部分における光散乱パターン２２１ａの非形成領域２２５の端部と、シャーシ２１４において隣り合う回転リール２０６の間の部分におけるシャーシ側開口部２２４の端部と、の寸法差（上記拡張寸法２２４Ｅ２から上記拡張寸法２２５Ｅ２を差し引いた寸法）は、例えば０．５ｍｍ程度とされており、上記拡張寸法２２５Ｅ２よりも小さくなっている。
【００７６】
＜実施形態４＞
本発明の実施形態４を図１４によって説明する。この実施形態４では、上記した実施形態１から光学シート側開口部３２２の形成範囲を変更したものを示す。なお、上記した実施形態１と同様の構造、作用及び効果について重複する説明は省略する。
【００７７】
光学シート側開口部３２２は、図１４に示すように、光学シート３１５において回転リール３０６と正対する部分よりも拡張寸法３２２Ｅの分だけ拡張された範囲にわたって形成されている。つまり、光学シート側開口部３２２は、その形成範囲（開口範囲）が反射シート側開口部３２３の形成範囲よりも広くなっており、その寸法差が上記した拡張寸法３２２Ｅと等しくなっている。
【００７８】
＜実施形態５＞
本発明の実施形態５を図１５によって説明する。この実施形態５では、上記した実施形態１から反射シート側開口部４２３の形成範囲を変更したものを示す。なお、上記した実施形態１と同様の構造、作用及び効果について重複する説明は省略する。
【００７９】
反射シート側開口部４２３は、図１５に示すように、反射シート４２０において回転リール４０６と正対する部分よりも拡張寸法４２３Ｅの分だけ拡張された範囲にわたって形成されている。つまり、反射シート側開口部４２３は、その形成範囲（開口範囲）が光学シート側開口部４２２の形成範囲よりも広くなっており、その寸法差が上記した拡張寸法４２３Ｅと等しくなっている。
【００８０】
＜実施形態６＞
本発明の実施形態６を図１６または図１７によって説明する。この実施形態６では、上記した実施形態１から回転リール５０６及びリール表示窓５１０Ｗなどの配置を変更したものを示す。なお、上記した実施形態１と同様の構造、作用及び効果について重複する説明は省略する。
【００８１】
回転リール５０６及びリール表示窓５１０Ｗは、図１６に示すように、表示部５０３において鉛直方向の中央位置に配されている。従って、リール表示窓５１０Ｗを構成する光学シート側開口部５２２、反射シート側開口部５２３、シャーシ側開口部５２４、及び光散乱パターン５２１ａの非形成領域５２５は、それぞれ光学シート５１５、反射シート５２０、シャーシ５１４、及び光散乱反射部５２１において鉛直方向の中央位置に配されている。このような構成では、遊技者が回転リール５０６を鉛直方向について斜めから見た場合に、シャーシ５１４及び光散乱反射部５２１のうち、回転リール５０６に対する上側部分と下側部分とで視差が同じ程度になる。これに基づいて、本実施形態では、図１７に示すように、シャーシ５１４及び光散乱反射部５２１のうち、回転リール５０６に対する上側部分におけるシャーシ側開口部５２４及び光散乱パターン５２１ａの非形成領域５２５の拡張寸法５２４Ｅ４，５２５Ｅ４と、同下側部分におけるシャーシ側開口部５２４及び光散乱パターン５２１ａの非形成領域５２５の拡張寸法（図１１に示す拡張寸法２４Ｅ３，２５Ｅ３）と、が互いに等しいものとされている。なお、上記下側部分における構成は、図１１と同様であるから、本実施形態では図示を省略している。
【００８２】
＜他の実施形態＞
本発明は上記記述及び図面によって説明した実施形態に限定されるものではなく、例えば次のような実施形態も本発明の技術的範囲に含まれる。
（１）上記した各実施形態では、シャーシ及び光散乱反射部において水平方向に沿って並ぶ３つの回転リールを一括して挟み込む部分におけるシャーシ側開口部及び光散乱パターンの非形成領域の拡張寸法が左右で等しくされたものを示したが、上記拡張寸法を左右で異なる大きさとすることも可能である。このような構成は、表示部において設定される遊技者の目線の中心位置が、水平方向について左右いずれかに偏った配置とされた場合に好適とされる。
【００８３】
（２）上記した各実施形態（実施形態６を除く）では、シャーシ及び光散乱反射部において回転リールに対する鉛直方向の下側部分におけるシャーシ側開口部及び光散乱パターンの非形成領域の拡張寸法が、上側部分における同拡張寸法よりも大きくされたものを示したが、大小関係を逆転させ、上側部分における同拡張寸法が、下側部分における同拡張寸法よりも大きくすることも可能である。このような構成は、リール表示窓が表示部における鉛直方向の上側に偏在する配置とされた場合に好適とされる。
【００８４】
（３）上記した各実施形態では、シャーシ側開口部及び光散乱パターンの非形成領域が、シャーシ及び光散乱反射部において回転リールと正対する部分（光学シート側開口部）を全周にわたって取り囲む形で拡張された場合を示したが、シャーシ側開口部及び光散乱パターンの非形成領域が、シャーシ及び光散乱反射部において回転リールと正対する部分における外周端部の一部にのみ拡張する形で形成されていてもよい。
【００８５】
（４）上記した各実施形態以外にも、各開口部の具体的な形成範囲に係る寸法、及び光散乱パターンの非形成領域の具体的な範囲に係る寸法については、適宜に変更することが可能である。
【００８６】
（５）上記した各実施形態では、導光板において回転リールと正対する部分に開口が形成されない構成のものを示したが、そのような開口を導光板に形成することも可能である。
【００８７】
（６）上記した各実施形態では、導光板側に位置決め凹部を、フレーム側に位置決め凸部を、それぞれ形成した場合を示したが、凹凸関係を逆転させ、導光板側に位置決め凸部を、フレーム側に位置決め凹部を、それぞれ形成することも可能である。
【００８８】
（７）上記した各実施形態では、位置決め凹部及び位置決め凸部が、導光板における水平方向の中央位置で且つ鉛直方向の一端位置となる１箇所と、導光板における鉛直方向の中央位置で且つ水平方向の両端位置となる２箇所と、の合計３箇所に配置された場合を示したが、位置決め凹部及び位置決め凸部の具体的な設置数、導光板における配置などは適宜に変更することが可能である。
【００８９】
（８）上記した各実施形態以外にも、回転リール及びリール表示窓の設置数は適宜に変更可能である。例えば、回転リール及びリール表示窓が２つ以下、または４つ以上とされる構成でもよい。
【００９０】
（９）上記した各実施形態以外にも、リール表示窓及びそれを構成する各開口部及び光散乱パターンの非形成領域が、正面から見て長方形以外の形状、例えば正方形、円形、楕円形状などになるよう形成されていてもよい。
【００９１】
（１０）上記した各実施形態以外にも、光学シートの具体的な使用枚数や種類は、適宜に変更可能である。その場合、同じ種類の光学シートを複数枚使用することも可能である。
【００９２】
（１１）上記した各実施形態では、バックライト装置において鉛直方向の下側にＬＥＤ基板が配置されて、導光板における鉛直方向の下側の端面が光入射面とされた場合を示したが、それ以外にもＬＥＤ基板及び光入射面の配置を変更することが可能である。具体的には、バックライト装置において鉛直方向の上側にＬＥＤ基板を配置し、導光板における鉛直方向の上側の端面を光入射面としてもよい。また、バックライト装置において水平方向の片側にＬＥＤ基板を配置し、導光板における水平方向の片側の端面を光入射面としてもよい。
【００９３】
（１２）上記した各実施形態では、導光板の一端面に対してＬＥＤ基板（ＬＥＤ）が対向状に配される片側入光タイプのバックライト装置を備えたスロットマシン用液晶表示装置を例示したが、導光板における対辺をなす２つの端面に対してＬＥＤ基板（ＬＥＤ）がそれぞれ対向状に配される両側入光タイプのバックライト装置を備えたスロットマシン用液晶表示装置にも本発明は適用可能である。
【００９４】
（１３）上記した各実施形態では、光源としてＬＥＤを用いたものを示したが、有機ＥＬ、冷陰極管、熱陰極管などの他の光源を用いることも可能である。
【００９５】
（１４）上記した各実施形態では、液晶パネルが有するカラーフィルタの着色部をＲ，Ｇ，Ｂの３色としたものを例示したが、着色部を４色以上とすることも可能である。
【００９６】
（１５）上記した各実施形態では、スロットマシン用液晶表示装置のスイッチング素子としてＴＦＴを用いたが、ＴＦＴ以外のスイッチング素子（例えば薄膜ダイオード（ＴＦＤ））を用いたスロットマシン用液晶表示装置にも適用可能であり、カラー表示するスロットマシン用液晶表示装置以外にも、白黒表示するスロットマシン用液晶表示装置にも適用可能である。
【００９７】
（１６）上記した各実施形態では、表示パネルとして液晶パネルを用いたスロットマシン用液晶表示装置を例示したが、他の種類の表示パネルを用いたスロットマシン用表示装置にも本発明は適用可能である。
【符号の説明】
【００９８】
６，１０６，２０６，３０６，４０６，５０６...回転リール、１０，５１０...スロットマシン用液晶表示装置（遊技機用表示装置）、１１...液晶パネル（表示パネル）、１２...バックライト装置（照明装置）、１４，１１４，２１４，５１４...シャーシ（支持部材）、１５，３１５，５１５...光学シート（光学部材）、１６...フレーム、１７...ＬＥＤ（光源）、１９...導光板、１９ａ...光出射面、１９ｂ...光入射面、１９ｃ...反対板面（後側の板面）、２０，４２０，５２０...反射シート（反射部材）、２１，１２１，２２１，５２１...光散乱反射部、２１ａ，１２１ａ，２２１ａ，５２１ａ...光散乱パターン、２２，１２２，３２２，４２２，５２２...光学シート側開口部（光学部材側開口部）、２３，１２３，３２３，４２３，５２３...反射シート側開口部（反射部材側開口部）、２４，１２４，２２４，５２４...シャーシ側開口部（支持部材側開口部）、２４Ｅ１...拡張寸法、２４Ｅ２，１２４Ｅ２，２２４Ｅ２，５２４Ｅ２...拡張寸法、２４Ｅ３...拡張寸法、２４Ｅ４...拡張寸法、２５，１２５，２２５，５２５...非形成領域、２５Ｅ１...拡張寸法、２５Ｅ２，１２５Ｅ２，２２５Ｅ２，５２５Ｅ２...拡張寸法、２５Ｅ３...拡張寸法、２５Ｅ４...拡張寸法、２６...位置決め凹部、２７...位置決め凸部
【図１】
2015194475.tif 000003
【図２】
2015194475.tif 000004
【図３】
2015194475.tif 000005
【図４】
2015194475.tif 000006
【図５】
2015194475.tif 000007
【図６】
2015194475.tif 000008
【図７】
2015194475.tif 000009
【図８】
2015194475.tif 000010
【図９】
2015194475.tif 000011
【図１０】
2015194475.tif 000012
【図１１】
2015194475.tif 000013
【図１２】
2015194475.tif 000014
【図１３】
2015194475.tif 000015
【図１４】
2015194475.tif 000016
【図１５】
2015194475.tif 000017
【図１６】
2015194475.tif 000018
【図１７】
2015194475.tif 000019
【手続補正書】
【提出日】平成28年12月2日(2016.12.2)
【手続補正１】
【補正対象書類名】特許請求の範囲
【補正対象項目名】全文
【補正方法】変更
【補正の内容】
【特許請求の範囲】
【請求項１】
回転リールの前側に配される表示パネルと、
前記表示パネルと前記回転リールとの間に介在する形で配されるとともに、前記表示パネルに光を供給する照明装置であって、
光源と、
少なくとも一端面が前記光源の光が入射される光入射面とされるとともに、前側の板面が前記表示パネルの板面と対向状をなして光を出射する光出射面とされる導光板と、
前記導光板と前記表示パネルとの間に介在する形で配されて前記光出射面から出射した光を、光学作用を付与しつつ前記表示パネル側に透過する光学部材であって、前記回転リールと正対する部分の少なくとも一部に光学部材側開口部が形成されてなる光学部材と、
前記導光板の後側に配されて前記導光板内の光を反射する反射部材であって、前記光学部材側開口部と重畳する部分に反射部材側開口部が形成されてなる反射部材と、
前記導光板における後側の板面に付されていて前記導光板内の光を散乱反射することで前記光出射面からの出光を促す光散乱パターンからなる光散乱反射部であって、少なくとも前記光学部材側開口部よりも拡張された範囲が前記光散乱パターンの非形成領域とされる光散乱反射部と、
前記反射部材の後側に配されていて前記反射部材を介して前記導光板及び前記光学部材を後側から支持する支持部材であって、少なくとも前記反射部材側開口部よりも拡張された範囲に支持部材側開口部が形成されてなる支持部材と、を有してなる照明装置と、
を備え、
前記反射部材は、前記反射部材側開口部の開口範囲が、前記光学部材側開口部の開口範囲以上になるよう形成されており、
前記支持部材は、前記支持部材側開口部が、前記光散乱パターンの非形成領域よりも拡張された範囲になるよう形成されている遊技機用表示装置。
【請求項２】
回転リールの前側に配される表示パネルと、
前記表示パネルと前記回転リールとの間に介在する形で配されるとともに、前記表示パネルに光を供給する照明装置であって、
光源と、
少なくとも一端面が前記光源の光が入射される光入射面とされるとともに、前側の板面が前記表示パネルの板面と対向状をなして光を出射する光出射面とされる導光板と、
前記導光板と前記表示パネルとの間に介在する形で配されて前記光出射面から出射した光を、光学作用を付与しつつ前記表示パネル側に透過する光学部材であって、前記回転リールと正対する部分の少なくとも一部に光学部材側開口部が形成されてなる光学部材と、
前記導光板の後側に配されて前記導光板内の光を反射する反射部材であって、前記光学部材側開口部と重畳する部分に反射部材側開口部が形成されてなる反射部材と、
前記導光板における後側の板面に付されていて前記導光板内の光を散乱反射することで前記光出射面からの出光を促す光散乱パターンからなる光散乱反射部であって、少なくとも前記光学部材側開口部よりも拡張された範囲が前記光散乱パターンの非形成領域とされる光散乱反射部と、
前記反射部材の後側に配されていて前記反射部材を介して前記導光板及び前記光学部材を後側から支持する支持部材であって、少なくとも前記反射部材側開口部よりも拡張された範囲に支持部材側開口部が形成されてなる支持部材と、を有してなる照明装置と、
を備え、
前記光散乱反射部は、少なくとも前記反射部材側開口部よりも拡張された範囲が前記光散乱パターンの非形成領域とされる遊技機用表示装置。
【請求項３】
回転リールの前側に配される表示パネルと、
前記表示パネルと前記回転リールとの間に介在する形で配されるとともに、前記表示パネルに光を供給する照明装置であって、
光源と、
少なくとも一端面が前記光源の光が入射される光入射面とされるとともに、前側の板面が前記表示パネルの板面と対向状をなして光を出射する光出射面とされる導光板と、
前記導光板と前記表示パネルとの間に介在する形で配されて前記光出射面から出射した光を、光学作用を付与しつつ前記表示パネル側に透過する光学部材であって、前記回転リールと正対する部分の少なくとも一部に光学部材側開口部が形成されてなる光学部材と、
前記導光板の後側に配されて前記導光板内の光を反射する反射部材であって、前記光学部材側開口部と重畳する部分に反射部材側開口部が形成されてなる反射部材と、
前記導光板における後側の板面に付されていて前記導光板内の光を散乱反射することで前記光出射面からの出光を促す光散乱パターンからなる光散乱反射部であって、少なくとも前記光学部材側開口部よりも拡張された範囲が前記光散乱パターンの非形成領域とされる光散乱反射部と、
前記反射部材の後側に配されていて前記反射部材を介して前記導光板及び前記光学部材を後側から支持する支持部材であって、少なくとも前記反射部材側開口部よりも拡張された範囲に支持部材側開口部が形成されてなる支持部材と、を有してなる照明装置と、
を備え、
前記光学部材及び前記反射部材は、前記光学部材側開口部の開口範囲と、前記反射部材側開口部の開口範囲と、が等しくなるようそれぞれ形成されている遊技機用表示装置。
【請求項４】
前記光学部材側開口部は、複数が一列に並んで配される前記回転リールに合わせて、複数ずつ一列に並んで配されるようそれぞれ形成されており、
前記光散乱反射部及び前記支持部材は、前記光散乱パターンの非形成領域及び前記支持部材側開口部が、少なくとも一列に並ぶ複数の前記回転リールの間に挟まれた部分にまで拡張された範囲にまでそれぞれ形成されている請求項１から請求項３のいずれか１項に記載の遊技機用表示装置。
【請求項５】
前記光散乱反射部は、前記光散乱パターンの非形成領域が、少なくとも一列に並ぶ複数の回転リールを、その並び方向について両側から一括して挟み込む部分にまで拡張された範囲に形成され、その拡張寸法が、一列に並ぶ複数の前記回転リールの間に挟まれた部分における拡張寸法よりも大きくなるものとされる請求項４記載の遊技機用表示装置。
【請求項６】
前記光学部材側開口部は、前記表示パネルにおける鉛直方向の中央位置よりも下側に偏在する形で配されており、
前記光散乱反射部は、前記光散乱パターンの非形成領域が、少なくとも前記光学部材側開口部に対して鉛直方向の上側部分と下側部分とにまでそれぞれ拡張された範囲に形成され、前記下側部分における拡張寸法が、前記上側部分における拡張寸法よりも大きくなるものとされる請求項１から請求項５のいずれか１項に記載の遊技機用表示装置。
【請求項７】
前記光学部材側開口部は、前記表示パネルにおける鉛直方向の中央位置よりも下側に偏在する形で配されており、
前記支持部材は、前記支持部材側開口部が、少なくとも前記光学部材側開口部に対して鉛直方向の上側部分と下側部分とにまでそれぞれ拡張された範囲に形成され、前記下側部分における拡張寸法が、前記上側部分における拡張寸法よりも大きくなるものとされる請求項１から請求項６のいずれか１項に記載の遊技機用表示装置。
【請求項８】
前記光散乱反射部は、少なくとも前記反射部材側開口部よりも拡張された範囲が前記光散乱パターンの非形成領域とされる請求項１に記載の遊技機用表示装置。
【請求項９】
前記光学部材及び前記反射部材は、前記光学部材側開口部の開口範囲と、前記反射部材側開口部の開口範囲と、が等しくなるようそれぞれ形成されている請求項１または請求項２に記載の遊技機用表示装置。
【国際調査報告】
2015194475.tif 000020
2015194475.tif 000021
2015194475.tif 000022
2015194475.tif 000023